(57)【要約】  第一の基地局装置と第二の基地局装置とが端末装置と通信を行う無線通信システムであって、端末装置は第一の基地局装置および第二の基地局装置に対して其々の基地局装置のデータ送信に対応した報告情報を送信し、第二の基地局装置と端末装置の間の無線リンクにおいて問題が発生したことを検出した場合、第一の基地局装置に対し、第二の基地局装置のデータ送信に対応した報告情報を送信する。第一の基地局装置は、端末装置から第二の基地局装置に対応した報告情報を受信した場合、第二の基地局装置と端末装置の間の無線リンクにおいて問題が発生したことを検出する。
2014163082.tif 000002
【特許請求の範囲】
【請求項１】
第一の基地局装置と第二の基地局装置とが端末装置と通信を行う無線通信システムであって、
前記端末装置は、前記第一の基地局装置および前記第二の基地局装置に対して其々の基地局装置のデータ送信に対応した報告情報を送信し、
前記第二の基地局装置と前記端末装置の間の無線リンクにおいて問題が発生したことを検出した場合、前記第一の基地局装置に対し、前記第二の基地局装置のデータ送信に対応した報告情報を送信する無線通信システム。
【請求項２】
請求項１記載の無線通信システムであって、
前記端末装置は、前記第二の基地局装置にスケジューリングリクエストを所定回数送信しても、前記第二の基地局装置から前記スケジューリングリクエストに対応する応答を得られない場合に前記第二の基地局装置の無線リンクにおいて問題が発生したことを検出したと判断する無線通信システム。
【請求項３】
請求項１記載の無線通信システムであって、
前記報告情報は上りリンクデータのバッファステータスレポートである無線通信システム。
【請求項４】
請求項１記載の無線通信システムであって、
前記報告情報は下りリンク無線チャネル品質情報である無線通信システム。
【請求項５】
請求項１記載の無線通信システムであって、
前記第一の基地局装置は、前記端末装置から前記第二の基地局装置に対応した前記報告情報を受信した場合、前記第二の基地局装置に接続解放要求を通知する無線通信システム。
【請求項６】
他の基地局装置と接続して、端末装置と通信を行う基地局装置であって、
前記端末装置から自基地局装置のデータ送信に対応した報告情報を受信し、
前記端末装置から前記他の基地局装置のデータ送信に対応した報告情報を受信した場合、前記他の基地局装置と前記端末装置の間の無線リンクにおいて問題が発生したことを検出する基地局装置。
【請求項７】
請求項６記載の基地局装置であって、
前記他の基地局装置と前記端末装置の間の無線リンクにおいて問題が発生したことを検出した場合、前記他の基地局装置に接続解放要求を通知する基地局装置。
【請求項８】
第一の基地局装置および第二の基地局装置と通信を行う端末装置であって、
前記第一の基地局装置および前記第二の基地局装置に対して其々の基地局装置のデータ送信に対応した報告情報を送信し、
前記第二の基地局装置と前記端末装置の間の無線リンクにおいて問題が発生したことを検出した場合、前記第一の基地局装置に対し、前記第二の基地局装置のデータ送信に対応した報告情報を送信する端末装置。
【請求項９】
請求項８記載の端末装置であって、
前記第二の基地局装置にスケジューリングリクエストを所定回数送信しても、前記第二の基地局装置から前記スケジューリングリクエストに対応する応答を得られない場合に前記第二の基地局装置の無線リンクにおいて問題が発生したことを検出したと判断する端末装置。
【請求項１０】
他の基地局装置と接続して、端末装置と通信を行う基地局装置の無線通信方法であって、
前記端末装置から自基地局装置のデータ送信に対応した報告情報を受信するステップと、
前記端末装置から他の基地局装置のデータ送信に対応した報告情報を受信した場合、前記他の基地局装置と前記端末装置の間の無線リンクにおいて問題が発生したことを検出するステップと、
前記他の基地局装置と前記端末装置の間の無線リンクにおいて問題が発生したことを検出した場合、前記他の基地局装置に接続解放要求を通知するステップとを含む無線通信方法。
【請求項１１】
第一の基地局装置および第二の基地局装置と通信を行う端末装置の無線通信方法であって、
前記第一の基地局装置および前記第二の基地局装置に対して其々の基地局装置のデータ送信に対応した報告情報を送信するステップと、
前記第二の基地局装置と前記端末装置の間の無線リンクにおいて問題が発生したことを検出した場合、前記第一の基地局装置に対し、前記第二の基地局装置のデータ送信に対応した報告情報を送信するステップとを含む無線通信方法。
【請求項１２】
他の基地局装置と接続して、端末装置と通信を行う基地局装置に適用される集積回路であって、
前記端末装置から自基地局装置のデータ送信に対応した報告情報を受信する手段と、
前記端末装置から他の基地局装置のデータ送信に対応した報告情報を受信した場合、前記他の基地局装置と前記端末装置の間の無線リンクにおいて問題が発生したことを検出する手段と、
前記他の基地局装置と前記端末装置の間の無線リンクにおいて問題が発生したことを検出した場合、前記他の基地局装置に接続解放要求を通知する手段を有する集積回路。
【請求項１３】
第一の基地局装置および第二の基地局装置と通信を行う端末装置に適用される集積回路であって、
前記第一の基地局装置および前記第二の基地局装置に対して其々の基地局装置のデータ送信に対応した報告情報を送信する手段と、
前記第二の基地局装置と前記端末装置の間の無線リンクにおいて問題が発生したことを検出した場合、前記第一の基地局装置に対し、前記第二の基地局装置のデータ送信に対応した報告情報を送信する手段を有する集積回路。
【発明の詳細な説明】
【技術分野】
【０００１】
本発明は、無線通信システム、基地局装置および端末装置に関連し、より詳細には、データの送受信制御に関する無線通信システム、基地局装置、端末装置、無線通信方法および集積回路に関する。
本願は、２０１３年４月２日に、日本に出願された特願２０１３−０７６５７９号に基づき優先権を主張し、その内容をここに援用する。
【背景技術】
【０００２】
３ＧＰＰ（3rd Generation Partnership Project）では、Ｗ−ＣＤＭＡ方式が第三世代セルラー移動通信方式として標準化され、サービスが行われている。また、通信速度を更に上げたＨＳＤＰＡも標準化され、サービスが行われている。【０００３】
一方、３ＧＰＰでは、第三世代無線アクセスの進化（Evolved Universal Terrestrial Radio Access；以下、「EUTRA」と呼称する。）の標準化も行なわれ、サービスが開始されている。ＥＵＴＲＡの下りリンクの通信方式として、マルチパス干渉に強く、高速伝送に適したＯＦＤＭ（Orthogonal Frequency Division Multiplexing）方式が採用されている。また、上りリンクの通信方式として、移動局装置のコストと消費電力を考慮し、送信信号のピーク電力対平均電力比ＰＡＰＲ（Peak to Average Power Ratio）を低減できるシングルキャリア周波数分割多重方式ＳＣ−ＦＤＭＡ（Single Carrier-Frequency Division Multiple Access）のＤＦＴ（Discrete Fourier Transform（離散フーリエ変換））−ｓｐｒｅａｄ  ＯＦＤＭ方式が採用されている。【０００４】
また、３ＧＰＰでは、ＥＵＴＲＡの更なる進化のＡｄｖａｎｃｅｄ−ＥＵＴＲＡの議論も開始されている。Ａｄｖａｎｃｅｄ−ＥＵＴＲＡでは、上りリンクおよび下りリンクでそれぞれ最大１００ＭＨｚ帯域幅までの帯域を使用して、最大で下りリンク１Ｇｂｐｓ以上、上りリンク５００Ｍｂｐｓ以上の伝送レートの通信を行なうことが想定されている。【０００５】
Ａｄｖａｎｃｅｄ−ＥＵＴＲＡでは、ＥＵＴＲＡの移動局装置も収容できるようにＥＵＴＲＡと互換性のある帯域を複数個束ねることで、最大１００ＭＨｚ帯域を実現することが考えられている。尚、Ａｄｖａｎｃｅｄ−ＥＵＴＲＡでは、ＥＵＴＲＡの１つの２０ＭＨｚ以下の帯域をコンポーネントキャリア（Component Carrier : ＣＣ）と呼ばれている。コンポーネントキャリアは、セル（Cell）とも呼ばれている。また、２０ＭＨｚ以下の帯域を束ねることをキャリアアグリゲーション(Carrier Aggregation：ＣＡ)と呼ばれている（非特許文献１）。【０００６】
また、Ａｄｖａｎｃｅｄ−ＥＵＴＲＡでは、マクロセル(Macro Cell)とマクロセルの範囲内にあるスモールセル(Small Cell)とでキャリアアグリゲーションを行うことを検討している。マクロセルの範囲内にあるとは、周波数が異なることも含む。非特許文献２では、マクロセルとスモールセルのキャリアアグリゲーション時の基地局装置と移動局装置間の通信において、マクロセルで制御情報（制御平面情報）を送信し、スモールセルでユーザー情報（ユーザー平面情報）を送信することが提案されている。非特許文献２で示されているマクロセルとスモールセルのキャリアアグリゲーションをデュアルコネクト（Dual Connect）とも言う。
【先行技術文献】
【非特許文献】
【０００７】
【非特許文献１】3GPP TS(Technical Specification)36.300、V10.8.0(2012-06)、Evolved Universal Terrestrial Radio Access(E-UTRA) and Evolved Universal Terrestrial Radio Access Network(E-UTRAN)、Overall description Stage2
【非特許文献２】RWS-120010、NTT DOCOMO、”Requirements, Candidate Solutions &Technology Roadmap for LTE Rel-12 Onward”、3GPP Workshop on Release 12 and onward、Ljubljana、Slovenia、11-12 June、2012
【発明の概要】
【発明が解決しようとする課題】
【０００８】
しかしながら、非特許文献２で示されたように基地局装置と移動局装置間の通信において、マクロセルの基地局装置と移動局装置間で制御情報を送受信し、スモールセルの基地局装置と移動局装置間でユーザー情報を送受信するために、基地局装置は移動局装置に無線リソースの割り当てを効率よく行う必要がある。そして、移動局装置は、基地局装置に無線リソースの割り当て要求を適切に行う必要がある。【０００９】
本発明の一態様は、このような事情に鑑みてなされたものであり、移動局装置がマクロセルの基地局装置とスモールセルの基地局装置に制御情報およびユーザー情報を適切に送信することが可能な移動局装置、基地局装置、無線通信システム、無線通信方法及び集積回路を提供することを目的とする。
【課題を解決するための手段】
【００１０】
（１）上記の目的を達成するために、本発明の一態様は、以下のような手段を講じた。すなわち、本発明の一態様による無線通信システムは、第一の基地局装置と第二の基地局装置とが端末装置と通信を行う無線通信システムであって、前記端末装置は、前記第一の基地局装置および前記第二の基地局装置に対して其々の基地局装置のデータ送信に対応した報告情報を送信し、前記第二の基地局装置と前記端末装置の間の無線リンクにおいて問題が発生したことを検出した場合、前記第一の基地局装置に対し、前記第二の基地局装置のデータ送信に対応した報告情報を送信する。【００１１】
（２）また、本発明の一態様による無線通信システムにおいて、前記端末装置は、前記第二の基地局装置にスケジューリングリクエストを所定回数送信しても、前記第二の基地局装置から前記スケジューリングリクエストに対応する応答を得られない場合に前記第二の基地局装置の無線リンクにおいて問題が発生したことを検出したと判断してもよい。【００１２】
（３）また、本発明の一態様による無線通信システムにおいて、前記報告情報は上りリンクデータのバッファステータスレポートであってもよい。【００１３】
（４）また、本発明の第１の態様による無線通信システムにおいて、前記報告情報は下りリンク無線チャネル品質情報であってもよい。【００１４】
（５）また、本発明の一態様による無線通信システムにおいて前記第一の基地局装置は、前記端末装置から前記第二の基地局装置に対応した前記報告情報を受信した場合、前記第二の基地局装置に接続解放要求を通知してもよい。【００１５】
（６）本発明の一態様による基地局装置は、他の基地局装置と接続して、端末装置と通信を行う基地局装置であって、前記端末装置から自基地局装置のデータ送信に対応した報告情報を受信し、前記端末装置から前記他の基地局装置のデータ送信に対応した報告情報を受信した場合、前記他の基地局装置と前記端末装置の間の無線リンクにおいて問題が発生したことを検出する。【００１６】
（７）また、本発明の一態様による基地局装置は、前記他の基地局装置と前記端末装置の間の無線リンクにおいて問題が発生したことを検出した場合、前記他の基地局装置に接続解放要求を通知してもよい。【００１７】
（８）本発明の一態様による端末装置は、第一の基地局装置および第二の基地局装置と通信を行う端末装置であって、前記第一の基地局装置および前記第二の基地局装置に対して其々の基地局装置のデータ送信に対応した報告情報を送信し、前記第二の基地局装置と前記端末装置の間の無線リンクにおいて問題が発生したことを検出した場合、前記第一の基地局装置に対し、前記第二の基地局装置のデータ送信に対応した報告情報を送信する。【００１８】
（９）また、本発明の一態様による端末装置は、前記第二の基地局装置にスケジューリングリクエストを所定回数送信しても、前記第二の基地局装置から前記スケジューリングリクエストに対応する応答を得られない場合に前記第二の基地局装置の無線リンクにおいて問題が発生したことを検出したと判断してもよい。【００１９】
（１０）また、本発明の一態様による無線通信方法は、他の基地局装置と接続して、端末装置と通信を行う基地局装置の無線通信方法であって、前記端末装置から自基地局装置のデータ送信に対応した報告情報を受信するステップと、前記端末装置から他の基地局装置のデータ送信に対応した報告情報を受信した場合、前記他の基地局装置と前記端末装置の間の無線リンクにおいて問題が発生したことを検出するステップと、前記他の基地局装置と前記端末装置の間の無線リンクにおいて問題が発生したことを検出した場合、前記他の基地局装置に接続解放要求を通知するステップとを含む。【００２０】
（１１）また、本発明の他の態様による無線通信方法は、第一の基地局装置および第二の基地局装置と通信を行う端末装置の無線通信方法であって、前記第一の基地局装置および前記第二の基地局装置に対して其々の基地局装置のデータ送信に対応した報告情報を送信するステップと、前記第二の基地局装置と前記端末装置の間の無線リンクにおいて問題が発生したことを検出した場合、前記第一の基地局装置に対し、前記第二の基地局装置のデータ送信に対応した報告情報を送信するステップとを含む。【００２１】
（１２）また、本発明の一態様による集積回路は、他の基地局装置と接続して、端末装置と通信を行う基地局装置に適用される集積回路であって、前記端末装置から自基地局装置のデータ送信に対応した報告情報を受信する手段と、前記端末装置から他の基地局装置のデータ送信に対応した報告情報を受信した場合、前記他の基地局装置と前記端末装置の間の無線リンクにおいて問題が発生したことを検出する手段と、前記他の基地局装置と前記端末装置の間の無線リンクにおいて問題が発生したことを検出した場合、前記他の基地局装置に接続解放要求を通知する手段を有する。【００２２】
（１３）また、本発明の他の態様による集積回路は、第一の基地局装置および第二の基地局装置と通信を行う端末装置に適用される集積回路であって、前記第一の基地局装置および前記第二の基地局装置に対して其々の基地局装置のデータ送信に対応した報告情報を送信する手段と、前記第二の基地局装置と前記端末装置の間の無線リンクにおいて問題が発生したことを検出した場合、前記第一の基地局装置に対し、前記第二の基地局装置のデータ送信に対応した報告情報を送信する手段を有する。
【発明の効果】
【００２３】
本発明の一態様によれば、マクロセルの基地局装置、またはスモールセルの基地局装置と、移動局装置との間で効率よいデータ送受信を行うことが可能となる。
【図面の簡単な説明】
【００２４】
【図１】本発明の実施形態に係る移動局装置の構成の一例を示す図である。
【図２】本発明の実施形態に係る基地局装置の構成の一例を示す図である。
【図３】スケジューリングリクエスト送信処理の一例を示す図である。
【図４】デュアルコネクト解放手順の一例を示す図である。
【図５】デュアルコネクト解放手順の一例を示す図である。
【図６】ＥＵＴＲＡにおける物理チャネル構成の一例を示す図である。
【図７】ＥＵＴＲＡにおける下りリンクのチャネル構成の一例を示す図である。
【図８】ＥＵＴＲＡにおける上りリンクのチャネル構成の一例を示す図である。
【図９】基地局装置及び移動局装置の制御情報に関する通信プロトコルの構成の一例を示す図である。
【図１０】基地局装置及び移動局装置のユーザー情報に関する通信プロトコルの構成の一例を示す図である。
【図１１】競合ベースランダムアクセス手順の一例を示す図である。
【図１２】非競合ベースランダムアクセス手順の一例を示す図である。
【図１３】ハンドオーバー手順の一例を示す図である。
【図１４】デュアルコネクトの一例についての説明図である。
【発明を実施するための形態】
【００２５】
ＥＵＴＲＡの下りリンクとして、ＯＦＤＭ方式が採用されている。また、ＥＵＴＲＡの上りリンクとして、ＤＦＴ−ｓｐｒｅａｄ  ＯＦＤＭ方式のシングルキャリア通信方式が採用されている。
【００２６】
図６は、ＥＵＴＲＡの物理チャネル構成を示す図である。下りリンクの物理チャネルは、物理下りリンク共用チャネルＰＤＳＣＨ（Physical Downlink Shared Channel）、物理下りリンク制御チャネルＰＤＣＣＨ（Physical Downlink Control Channel）、物理報知チャネルＰＢＣＨ（Physical Broadcast Channel）により構成されている。この他に下りリンク同期信号、下りリンク参照信号の物理信号がある（非特許文献１）。
【００２７】
上りリンクの物理チャネルは、物理ランダムアクセスチャネルＰＲＡＣＨ（Physical Random Access Channel）、物理上りリンク共用チャネルＰＵＳＣＨ（Physical Uplink Shared Channel）、物理上りリンク制御チャネルＰＵＣＣＨ（Physical Uplink Control Channel）により構成されている。この他に上りリンク参照信号の物理信号がある（非特許文献１）。
【００２８】
図７は、ＥＵＴＲＡの下りリンクのチャネル構成を示す図である。図７に示す下りリンクのチャネルは、それぞれ論理チャネル、トランスポートチャネル、物理チャネルから構成されている。論理チャネルは、媒体アクセス制御（ＭＡＣ：Medium Access Control）層で送受信されるデータ送信サービスの種類を定義する。トランスポートチャネルは、無線インターフェースで送信されるデータがどのような特性をもち、そのデータがどのように送信されるのかを定義する。物理チャネルは、トランスポートチャネルによって物理層に伝達されたデータを運ぶ物理的なチャネルである。
【００２９】
下りリンクの論理チャネルには、報知制御チャネルＢＣＣＨ（Broadcast Control Channel）、ページング制御チャネルＰＣＣＨ（Paging Control Channel）、共通制御チャネルＣＣＣＨ（Common Control Channel）、専用制御チャネルＤＣＣＨ（Dedicated Control Channel）、専用トラフィックチャネルＤＴＣＨ（Dedicated Traffic Channel）が含まれる。
【００３０】
下りリンクのトランスポートチャネルには、報知チャネルＢＣＨ（Broadcast Channel）、ページングチャネルＰＣＨ（Paging Channel）、下りリンク共用チャネルＤＬ−ＳＣＨ（Downlink Shared Channel）が含まれる。
【００３１】
下りリンクの物理チャネルには、物理報知チャネルＰＢＣＨ（Physical Broadcast Channel）、物理下りリンク制御チャネルＰＤＣＣＨ（Physical Downlink Control Channel）、物理下りリンク共用チャネルＰＤＳＣＨ（Physical Downlink Shared Channel）が含まれる。これらのチャネルは、基地局装置と移動局装置の間で送受信される。
【００３２】
次に、論理チャネルについて説明する。報知制御チャネルＢＣＣＨは、システム制御情報を報知するために使用される下りリンクチャネルである。ページング制御チャネルＰＣＣＨは、ページング情報を送信するために使用される下りリンクチャネルであり、ネットワークが移動局装置のセル位置を知らないときに使用される。共通制御チャネルＣＣＣＨは、移動局装置とネットワーク間の制御情報を送信するために使用されるチャネルであり、ネットワークと無線リソース制御（ＲＲＣ：Radio Resource Control）接続を有していない移動局装置によって使用される。
【００３３】
専用制御チャネルＤＣＣＨは、１対１（point-to-point）の双方向チャネルであり、移動局装置とネットワーク間で個別の制御情報を送信するために利用するチャネルである。専用制御チャネルＤＣＣＨは、ＲＲＣ接続を有している移動局装置によって使用される。専用トラフィックチャネルＤＴＣＨは、１対１の双方向チャネルであり、１つの移動局装置専用のチャネルであって、ユーザー情報（ユニキャストデータ）の転送のために利用される。
【００３４】
次に、トランスポートチャネルについて説明する。報知チャネルＢＣＨは、固定かつ事前に定義された送信形式によって、セル全体に報知される。下りリンク共用チャネルＤＬ−ＳＣＨでは、ＨＡＲＱ（Hybrid Automatic Repeat Request：ハイブリッド自動再送要求）、動的適応無線リンク制御、間欠受信（ＤＲＸ：Discontinuous Reception）がサポートされ、セル全体に報知される必要がある。
【００３５】
ページングチャネルＰＣＨでは、ＤＲＸがサポートされ、セル全体に報知される必要がある。また、ページングチャネルＰＣＨは、トラフィックチャネルや他の制御チャネルに対して動的に使用される物理リソース、すなわち物理下りリンク共用チャネルＰＤＳＣＨにマッピングされる。
【００３６】
次に、物理チャネルについて説明する。物理報知チャネルＰＢＣＨは、４０ミリ秒周期で報知チャネルＢＣＨをマッピングする。物理下りリンク制御チャネルＰＤＣＣＨは、下りリンク共用チャネルＰＤＳＣＨのリソース割り当て、下りリンクデータに対するハイブリッド自動再送要求（ＨＡＲＱ）情報、および、物理上りリンク共用チャネルＰＵＳＣＨのリソース割り当てである上りリンク送信許可（上りリンクグラント：Uplink grant）を移動局装置に通知するために使用されるチャネルである。物理下りリンク共用チャネルＰＤＳＣＨは、下りリンクデータまたはページング情報を送信するために使用されるチャネルである。
【００３７】
次に、チャネルマッピングについて説明する。図７に示されるように、下りリンクでは、次のようにトランスポートチャネルと物理チャネルのマッピングが行われる。報知チャネルＢＣＨは、物理報知チャネルＰＢＣＨにマッピングされる。ページングチャネルＰＣＨおよび下りリンク共用チャネルＤＬ−ＳＣＨは、物理下りリンク共用チャネルＰＤＳＣＨにマッピングされる。物理下りリンク制御チャネルＰＤＣＣＨは、物理チャネル単独で使用される。
【００３８】
また、下りリンクにおいて、次のように論理チャネルとトランスポートチャネルのマッピングが行われる。ページング制御チャネルＰＣＣＨは、ページングチャネルＰＣＨにマッピングされる。報知制御チャネルＢＣＣＨは、報知チャネルＢＣＨと下りリンク共用チャネルＤＬ−ＳＣＨにマッピングされる。共通制御チャネルＣＣＣＨ、専用制御チャネルＤＣＣＨ、専用トラフィックチャネルＤＴＣＨは、下りリンク共用チャネルＤＬ−ＳＣＨにマッピングされる。
【００３９】
図８は、ＥＵＴＲＡの上りリンクのチャネル構成を示す図である。図８に示す上りリンクのチャネルは、それぞれ論理チャネル、トランスポートチャネル、物理チャネルから構成されている。各チャネルの定義は下りリンクのチャネルと同じである。
【００４０】
上りリンクの論理チャネルには、共通制御チャネルＣＣＣＨ（Common Control Channel）、専用制御チャネルＤＣＣＨ（Dedicated Control Channel）、専用トラフィックチャネルＤＴＣＨ（Dedicated Traffic Channel）が含まれる。
【００４１】
上りリンクのトランスポートチャネルには、上りリンク共用チャネルＵＬ−ＳＣＨ（Uplink Shared Channel）とランダムアクセスチャネルＲＡＣＨ（Random Access Channel）が含まれる。
【００４２】
上りリンクの物理チャネルには、物理上りリンク制御チャネルＰＵＣＣＨ（Physical Uplink Control Channel）、物理上りリンク共用チャネルＰＵＳＣＨ（Physical Uplink Shared Channel）と物理ランダムアクセスチャネルＰＲＡＣＨ（Physical Random Access Channel）が含まれる。これらのチャネルは、基地局装置と移動局装置の間で送受信される。尚、物理ランダムアクセスチャネルＰＲＡＣＨは、主に移動局装置から基地局装置への送信タイミング情報を取得するためのランダムアクセスプリアンブル送信に使用される。ランダムアクセスプリアンブル送信はランダムアクセス手順の中で行なわれる。
【００４３】
次に、論理チャネルについて説明する。共通制御チャネルＣＣＣＨは、移動局装置とネットワーク間の制御情報を送信するために使用されるチャネルであり、ネットワークと無線リソース制御（ＲＲＣ：Radio Resource Control）接続を有していない移動局装置によって使用される。
【００４４】
専用制御チャネルＤＣＣＨは、１対１（point-to-point）の双方向チャネルであり、移動局装置とネットワーク間で個別の制御情報を送信するために利用するチャネルである。専用制御チャネルＤＣＣＨは、ＲＲＣ接続を有している移動局装置によって使用される。専用トラフィックチャネルＤＴＣＨは、１対１の双方向チャネルであり、１つの移動局装置専用のチャネルであって、ユーザー情報（ユニキャストデータ）の転送のために利用される。
【００４５】
次に、トランスポートチャネルについて説明する。上りリンク共用チャネルＵＬ−ＳＣＨでは、ＨＡＲＱ（Hybrid Automatic Repeat Request：ハイブリッド自動再送要求）、動的適応無線リンク制御、間欠送信（ＤＴＸ：Discontinuous Transmission）がサポートされる。ランダムアクセスチャネルＲＡＣＨでは、制限された制御情報が送信される。
【００４６】
次に、物理チャネルについて説明する。物理上りリンク制御チャネルＰＵＣＣＨは、下りリンクデータに対する応答情報（ＡＣＫ／ＮＡＣＫ）、下りリンクの無線品質情報および、上りリンクデータの送信要求（スケジューリングリクエスト：Scheduling Request：ＳＲ）を基地局装置に通知するために使用されるチャネルである。物理上りリンク共用チャネルＰＵＳＣＨは、上りリンクデータを送信するために使用されるチャネルである。物理ランダムアクセスチャネルは、ランダムアクセスプリアンブルを送信するために使用されるチャネルである。
【００４７】
次に、チャネルマッピングについて説明する。上りリンクでは、図８に示されるようにトランスポートチャネルと物理チャネルのマッピングが行われる。上りリンク共用チャネルＵＬ−ＳＣＨは、物理上りリンク共用チャネルＰＵＳＣＨにマッピングされる。ランダムアクセスチャネルＲＡＣＨは、物理ランダムアクセスチャネルＰＲＡＣＨにマッピングされる。物理上りリンク制御チャネルＰＵＣＣＨは、マッピングされるトランスポートチャネルのない物理チャネルである。
【００４８】
また、上りリンクにおいて、次のように論理チャネルとトランスポートチャネルのマッピングが行われる。共通制御チャネルＣＣＣＨ、専用制御チャネルＤＣＣＨ、専用トラフィックチャネルＤＴＣＨは、上りリンク共用チャネルＵＬ−ＳＣＨにマッピングされる。
【００４９】
図９は、ＥＵＴＲＡの移動局装置及び基地局装置の制御データを扱うプロトコルスタック（Protocol stack）である。図１０は、ＥＵＴＲＡの移動局装置及び基地局装置のユーザーデータを扱うプロトコルスタックである。図９及び図１０について以下で説明する。
【００５０】
物理層（Physical layer：ＰＨＹ層）は、物理チャネル（Physical Channel）を利用して上位層に伝送サービスを提供する。ＰＨＹ層は、上位の媒体アクセス制御層（Medium Access Control layer：ＭＡＣ層）とトランスポートチャネルで接続される。トランスポートチャネルを介して、ＭＡＣ層とＰＨＹ層とレイヤ（layer：層）間でデータが移動する。移動局装置と基地局装置のＰＨＹ層間において、物理チャネルを介してデータの送受信が行われる。
【００５１】
ＭＡＣ層は、多様な論理チャネルを多様なトランスポートチャネルにマッピングを行う。ＭＡＣ層は、上位の無線リンク制御層（Radio Link Control layer：ＲＬＣ層）とは論理チャネルで接続される。論理チャネルは、伝送される情報の種類によって大きく分けられ、制御情報を伝送する制御チャネルとユーザー情報を伝送するトラフィックチャネルに分けられる。ＭＡＣ層は、間欠受送信（ＤＲＸ・ＤＴＸ）を行うためにＰＨＹ層の制御を行う機能、ランダムアクセス手順を実行する機能、送信電力の情報を通知する機能、ＨＡＲＱ制御を行う機能等を持っている。
【００５２】
ＲＬＣ層は、上位層から受信したデータを分割（Segmentation）及び連結(Concatenation)し、下位層が適切にデータ送信できるようにデータサイズを調節する。また、ＲＬＣ層は、各データが要求するＱｏＳ（Quality of Service）を保証するための機能も持つ。すなわち、ＲＬＣ層は、データの再送制御等の機能を持つ。
【００５３】
パケットデータコンバージェンスプロトコル層（Packet Data Convergence Protocol layer：ＰＤＣＰ層）は、ユーザーデータであるＩＰパケットを無線区間で効率的に伝送するために、不要な制御情報の圧縮を行うヘッダ圧縮機能を持つ。また、ＰＤＣＰ層は、データの暗号化の機能も持つ。
【００５４】
無線リソース制御層（Radio Resource Control layer：ＲＲＣ層）は、制御情報のみ定義される。ＲＲＣ層は、無線ベアラ（Radio Bearer：ＲＢ）の設定・再設定を行い、論理チャネル、トランスポートチャネル及び物理チャネルの制御を行う。ＲＢは、シグナリグ無線ベアラ（Signaling Radio Bearer：ＳＲＢ）とデータ無線ベアラ（Data Radio Bearer：ＤＲＢ）とに分けられ、ＳＲＢは、制御情報であるＲＲＣメッセージを送信する経路として利用される。ＤＲＢは、ユーザー情報を送信する経路として利用される。基地局装置と移動局装置のＲＲＣ層間で各ＲＢの設定が行われる。
【００５５】
尚、ＰＨＹ層は一般的に知られる開放型システム間相互接続（Open Systems Interconnection：ＯＳＩ）モデルの階層構造の中で第一層の物理層に対応し、ＭＡＣ層、ＲＬＣ層及びＰＤＣＰ層はＯＳＩモデルの第二層であるデータリンク層に対応し、ＲＲＣ層はＯＳＩモデルの第三層であるネットワーク層に対応する。
【００５６】
ランダムアクセス手順について以下に説明する。ランダムアクセス手順には、競合ベースランダムアクセス手順（Contention based Random Access procedure）と非競合ベースランダムアクセス手順（Non-contention based Random Access procedure）の２つのアクセス手順がある（非特許文献１）。
【００５７】
図１１は、競合ベースランダムアクセス手順の手順を示す図である。競合ベースランダムアクセス手順は、移動局装置間で衝突する可能性のあるランダムアクセス手順であり、基地局装置と接続（通信）していない状態からの初期アクセス時や基地局装置と接続中であるが、上りリンク同期が外れている状態で移動局装置に上りリンクデータ送信が発生した場合のスケジューリングリクエストなどに行われる。
【００５８】
図１２は、非競合ベースランダムアクセス手順を示す図である。非競合ベースランダムアクセス手順は、移動局装置間で衝突が発生しないランダムアクセス手順であり、基地局装置と移動局装置が接続中であるが、上りリンクの同期が外れている場合に迅速に移動局装置と基地局装置との間の上りリンク同期をとるためにハンドオーバーや移動局装置の送信タイミングが有効でない場合等の特別な場合に基地局装置から指示されて移動局装置がランダムアクセス手順を開始する。非競合ベースランダムアクセス手順は、ＲＲＣ（Radio Resource Control：Layer3）層のメッセージ及び物理下りリンク制御チャネルＰＤＣＣＨの制御データにより指示される。
【００５９】
図１１を用いて、競合ベースランダムアクセス手順を簡単に説明する。まず、移動局装置１−１がランダムアクセスプリアンブルを基地局装置３−１に送信する（メッセージ１：（１）、ステップＳ１）。そして、ランダムアクセスプリアンブルを受信した基地局装置３−１が、ランダムアクセスプリアンブルに対する応答（ランダムアクセスレスポンス）を移動局装置１−１に送信する（メッセージ２：（２）、ステップＳ２）。移動局装置１−１がランダムアクセスレスポンスに含まれているスケジューリング情報を元に上位レイヤ（Layer2/Layer3）のメッセージを送信する（メッセージ３：（３）、ステップＳ３）。基地局装置３−１は、（３）の上位レイヤメッセージを受信できた移動局装置１−１に衝突確認メッセージを送信する（メッセージ４：（４）、ステップＳ４）。尚、競合ベースランダムアクセスをランダムプリアンブル送信とも言う。
【００６０】
図１２を用いて、非競合ベースランダムアクセス手順を簡単に説明する。まず、基地局装置３−１は、プリアンブル番号（または、シーケンス番号）と使用するランダムアクセスチャネル番号を移動局装置１−１に通知する（メッセージ０：（１）’、ステップＳ１１）。移動局装置１−１は、指定されたプリアンブル番号のランダムアクセスプリアンブルを指定されたランダムアクセスチャネルＲＡＣＨに送信する（メッセージ１：（２）’、ステップＳ１２）。そして、ランダムアクセスプリアンブルを受信した基地局装置３−１が、ランダムアクセスプリアンブルに対する応答（ランダムアクセスレスポンス）を移動局装置１−１に送信する（メッセージ２：（３）’、ステップＳ１３）。ただし、通知されたプリアンブル番号の値が０の場合は、競合ベースランダムアクセス手順を行なう。尚、非競合ベースランダムアクセス手順を専用プリアンブル送信とも言う。
【００６１】
尚、ランダムアクセスプリアンブル送信後、ランダムアクセスレスポンスを受信しない、または、衝突確認メッセージを受信しない場合、ランダムアクセスプリアンブルを再送信する。ランダムアクセスプリアンブルの送信を繰り返しても基地局装置３−１から応答を受信せずにランダムアクセス手順が終了しない場合、移動局装置１−１のＭＡＣ層はランダムアクセス問題（Random Access Problem：ＲＡＰ）を検出して、移動局装置１−１のＲＲＣ層にランダムアクセス問題を通知する。移動局装置１−１のＲＲＣ層は、ＭＡＣ層からランダムアクセス問題を通知された場合、無線リンク失敗（Radio Link Failure：ＲＬＦ）を判断し、再接続処理を行う。
【００６２】
物理上りリンク制御チャネルＰＵＣＣＨは、物理下りリンク共用チャネルＰＵＳＣＨで送信される下りリンクデータの応答（ＡＣＫ／ＮＡＣＫ）、下りリンクの無線チャネル品質情報（Channel Quality Indicator：ＣＱＩ）、上りリンクデータの送信要求（Scheduling Request：スケジューリングリクエスト）の送信に使用される。移動局装置１−１が上りリンクデータの送信要求を行う場合、基地局装置３−１から割り当てられた物理上りリンク制御チャネルＰＵＣＣＨを利用して、スケジューリングリクエストを基地局装置３−１に送信する。
【００６３】
スケジューリングリクエスト送信後、基地局装置３−１から物理上りリンク共用チャネルＰＵＳＣＨを割り当てられた場合、移動局装置１−１は、割り当てられた物理上りリンク共用チャネルＰＵＳＣＨで移動局装置１−１の送信データのバッファ状態を示すバッファステータスレポート（Buffer Status Report：ＢＳＲ）を送信する。尚、基地局装置３−１は、バッファステータスレポートに基づいて移動局装置１−１への上りリンクデータスケジューリングを行う。
【００６４】
スケジューリングリクエスト送信後、基地局装置３−１から物理上りリンク共用チャネルＰＵＳＣＨを割り当てられない場合、移動局装置１−１は、再度、スケジューリングリクエストを送信する。スケジューリングリクエストの再送を繰り返しても基地局装置３−１から物理上りリンク共用チャネルＰＵＳＣＨを割り当てられない場合、移動局装置１−１は、割り当てられている物理上りリンク制御チャネルＰＵＣＣＨおよび上りリンク参照信号を解放して、スケジューリングリクエストを目的としたランダムアクセス手順を実行する。尚、ランダムアクセス手順によるスケジューリングリクエストでは、移動局装置１−１は、メッセージ３の送信でバッファステータスレポートを送信する。
【００６５】
次にハンドオーバー手順について図１３を用いて以下に示す。尚、ハンドオーバー元の基地局装置をソース基地局装置、ハンドオーバー先の基地局装置をターゲット基地局装置として以下に示す。移動局装置は、在圏周波数および周辺周波数の周辺セルの無線品質測定を行い、無線品質測定結果を含んだ測定報告メッセージをソース基地局装置に通知する（ステップＳ１０１）。ソース基地局装置は、移動局装置の測定結果からハンドオーバーを行うか否かを決定する。ハンドオーバーを行う場合、ソース基地局装置は、ハンドオーバー先のターゲット基地局装置を決定し、ハンドオーバー先のターゲット基地局装置にハンドオーバー要求メッセージを通知する（ステップＳ１０２）。
【００６６】
ハンドオーバー要求メッセージは、ターゲット基地局装置でハンドオーバーに必要となる情報が含まれる。ハンドオーバーに必要となる情報には、ソース基地局装置のＲＲＣ層レベルのＣ−ＲＮＴＩを含んだ移動局装置の情報（ＵＥ Ｃｏｎｔｅｘｔ）、ＲＲＣ層以上の上位層レベルの移動局装置の情報、暗号鍵情報、移動局装置のＭＡＣアドレスなどがある。
【００６７】
ハンドオーバー先のターゲット基地局装置は、ハンドオーバーを了解するとハンドオーバー要求応答メッセージをハンドオーバー元のソース基地局装置に通知する（ステップＳ１０３）。ハンドオーバー要求応答メッセージは、ターゲット基地局装置のセルの無線パラメータ、ターゲット基地局装置が移動局装置に割り当てる情報が含まれる。割り当てる情報には、上りリンクの無線リソース情報、ハンドオーバー時にランダムアクセス手順を実行する為のプリアンブル情報、ターゲット基地局装置のセルで使用される移動局装置の新しいＣ−ＲＮＴＩ、暗号鍵に関する情報などが含まれる。
【００６８】
ソース基地局装置がハンドオーバー要求応答メッセージを受信すると、ソース基地局装置は、移動局装置にハンドオーバー指示メッセージを通知する（ステップＳ１０４）。ハンドオーバー指示メッセージは、ハンドオーバー要求応答メッセージに含まれているターゲット基地局装置のセルで使用される移動局装置の無線パラメータやターゲット基地局装置が移動局装置に割り当てる情報などが含まれる。
【００６９】
ハンドオーバー指示メッセージを通知後、ソース基地局装置は、ターゲット基地局装置に移動局装置のユーザーデータ情報を含んだステータス転送メッセージを通知する（ステップＳ１０５）。そして、ソース基地局装置が保持している移動局装置のユーザーデータをターゲット基地局装置に転送する。移動局装置は、ハンドオーバー指示メッセージを受信すると、ターゲット基地局装置に対する下りリンク同期を行う。移動局装置は、下りリンク同期が完了すると、ターゲット基地局装置と上りリンクの同期をとるためにランダムアクセス手順を実行する（ステップＳ１０６）。そして、移動局装置は、ターゲット基地局装置からランダムアクセスレスポンスメッセージを受信し、上りリンク同期のための上りリンク送信タイミングを取得すると、移動局装置は、ターゲット基地局装置にハンドオーバー完了メッセージを通知する（ステップＳ１０７）。
【００７０】
ターゲット基地局装置は、ハンドオーバー完了メッセージを受信すると、ＭＭＥ（Mobility Management Entity）に対してパススイッチ要求メッセージを通知し、ソース基地局装置からターゲット基地局装置に移動局装置が接続する基地局装置を変更したことによるデータパス（データ伝送経路）の変更を要求する（ステップＳ１０８）。ＭＭＥは、パススイッチ要求メッセージを受信すると、ゲートウェイ（Gateway：ＧＷ）にモビリティベアラ要求メッセージを通知する（ステップＳ１０９）。
【００７１】
ＧＷは、モビリティベアラ要求メッセージを受信すると、移動局装置のユーザーデータのデータパスをソース基地局装置からターゲット基地局装置に切り替えを行う。そして、ＧＷは、ＭＭＥにモビリティベアラ要求応答メッセージを通知する（ステップＳ１１０）。ＭＭＥは、ターゲット基地局装置にパススイッチ要求応答メッセージを通知する（ステップＳ１１１）。ターゲット基地局装置は、パススイッチ要求応答メッセージを受信すると、ソース基地局装置に移動局装置の情報の解放を指示する移動局情報解放メッセージを通知する（ステップＳ１１２）。ソース基地局装置は、移動局情報解放メッセージを受信すると、ターゲット基地局装置にハンドオーバーした移動局装置の情報を削除する。
【００７２】
３ＧＰＰでは、ＥＵＴＲＡの更なる進化のＡｄｖａｎｃｅｄ−ＥＵＴＲＡの議論も行われている。Ａｄｖａｎｃｅｄ−ＥＵＴＲＡでは、上りリンクおよび下りリンクでそれぞれ最大１００ＭＨｚ帯域幅までの帯域を使用して、最大で下りリンク１Ｇｂｐｓ以上、上りリンク５００Ｍｂｐｓ以上の伝送レートの通信を行なうことを想定している。
【００７３】
Ａｄｖａｎｃｅｄ−ＥＵＴＲＡでは、ＥＵＴＲＡの移動局装置も収容できるようにＥＵＴＲＡの２０ＭＨｚ以下の帯域を複数個束ねることで、最大で１００ＭＨｚ帯域を実現することを考えている。尚、Ａｄｖａｎｃｅｄ−ＥＵＴＲＡでは、ＥＵＴＲＡの１つの２０ＭＨｚ以下の帯域をコンポーネントキャリア（Component Carrier : CC）と呼んでいる（非特許文献１）。また、１つの下りリンクのコンポーネントキャリアと１つの上りリンクのコンポーネントキャリアを組み合わせて１つのセルを構成する。尚、１つの下りリンクコンポーネントキャリアのみでも１つのセルを構成できる。
【００７４】
基地局装置は、移動局装置の通信能力や通信条件にあった複数のセルを割り当て、割り当てた複数のセルを介して移動局装置と通信を行なうようにしている。尚、移動局装置に割り当てられた複数のセルは、１つのセルを第一セル（Primary Cell：ＰＣｅｌｌ）とそれ以外のセルを第二セル（Secondary Cell：ＳＣｅｌｌ）とに分類される。第一セルには、物理上りリンク制御チャネルＰＵＣＣＨの割り当てなど特別な機能が設定されている。
【００７５】
また、移動局装置の消費電力を少なくするために、割り当て直後の第二セルに対し、移動局装置は下りリンクの受信処理を行わず（または、物理下りリンク制御チャネルＰＤＣＣＨで指示された無線リソース割り当て情報に従わない）、基地局装置からアクティベート（Activate、またはアクティベーション（activation））を指示された後、アクティベートを指示された第二セルに対して下りリンクの受信処理を開始する（または、物理下りリンク制御チャネルＰＤＣＣＨで指示された無線リソース割り当て情報に従う）ようにしている。
【００７６】
また、移動局装置は、基地局装置からアクティベートしている第二セルに対してデアクティベート（deactivate、またはデアクティベーション（deactivation））を指示された後、デアクティベートを指示された第二セルに対して下りリンクの受信処理を停止する（または、物理下りリンク制御チャネルＰＤＣＣＨで指示された無線リソース割り当て情報に従わない）ようにしている。尚、基地局装置からアクティベートを指示され、下りリンクの受信処理を行っている第二セルをアクティベートセルと言い、また、基地局装置から移動局装置への割り当て直後の第二セル、及びデアクティベートを指示されて下りリンクの受信処理を停止している第二セルをデアクティベートセルと言う。また、第一セルは、常にアクティベートセルである。
【００７７】
尚、移動局装置のＭＡＣ層は、キャリアアグリゲーションを行う場合、セルのアクティベーション／デアクティベーションを行うためにＰＨＹ層の制御を行う機能及び上りリンクの送信タイミングを管理するためにＰＨＹ層の制御行う機能も持っている。
【００７８】
また、図１４のように移動局装置が、２つの基地局装置とデュアルコネクト（Dual Connect）して同時に両基地局装置と通信を行うことも検討している。デュアルコネクトとは、マクロセルの基地局装置とスモールセルの基地局装置との間が光ファイバーのような無遅延とみなせる高速なバックボーン回線（ｂａｃｋｈａｕｌとも称する）ではなく、遅延のある低速なバックボーン回線を用いて接続されているときに、移動局装置がマクロセルの基地局装置とスモールセルの基地局装置と接続して、移動局装置と両基地局装置が複数セルを介してデータの送受信を行うことを仮定している。
【００７９】
デュアルコネクトでは、マクロセルを第一セル（ＰＣｅｌｌ）、スモールセルを第二セル（ＳＣｅｌｌ）として、移動局装置と基地局装置間で通信が行われることが望ましいが、基地局装置のセルの種別(マクロセル、スモールセル)とは無関係に設定されてもよい。また、デュアルコネクトでは、マクロセルの基地局装置と移動局装置間で制御データ（制御情報）の送受信を行い、スモールセルの基地局装置と移動局装置間でユーザーデータ（ユーザー情報）の送受信を行うことを想定している。さらに、制御データおよびユーザーデータよりさらに細かいデータの種類（例えば、ＱｏＳまたは論理チャネル等）に基づいて、データ送受信する基地局装置を変更することも考えている。また、キャリアアグリゲーションと同様に、セルのアクティベーション／デアクティベーションを行うことも考えている。
【００８０】
（実施形態）
[構成説明]
図１は、本発明の実施形態に係る移動局装置の構成を示す図である。移動局装置１−１〜１−３は、データ生成部１０１、送信データ記憶部１０３、送信ＨＡＲＱ処理部１０５、送信処理部１０７、無線部１０９、受信処理部１１１、受信ＨＡＲＱ処理部１１３、ＭＡＣ情報抽出部１１５、ＰＨＹ制御部１１７、ＭＡＣ制御部１１９、データ処理部１２１、および、ＲＲＣ制御部１２３から構成される。
【００８１】
上位層からのユーザーデータおよびＲＲＣ制御部１２３からの制御データは、データ生成部１０１に入力される。データ生成部１０１は、ＰＤＣＰ層、ＲＬＣ層の機能を持つ。データ生成部１０１は、ユーザーデータのＩＰパケットのヘッダ圧縮やデータの暗号化、データの分割及び結合等の処理を行い、データサイズを調節する。データ生成部１０１は、処理を行ったデータを送信データ記憶部１０３に出力する。
【００８２】
送信データ記憶部１０３は、データ生成部１０１から入力されたデータを蓄積し、ＭＡＣ制御部１１９からの指示に基づいて指示されたデータを指示されたデータ量分だけ送信ＨＡＲＱ処理部１０５に出力する。また、送信データ記憶部１０３は、蓄積されたデータのデータ量の情報をＭＡＣ制御部１１９に出力する。
【００８３】
送信ＨＡＲＱ処理部１０５は、入力データに符号化を行い、符号化したデータにパンクチャ処理を行う。そして、送信ＨＡＲＱ処理部１０５は、パンクチャしたデータを送信処理部１０７に出力し、符号化したデータを保存する。送信ＨＡＲＱ処理部１０５は、ＭＡＣ制御部１１９からデータの再送を指示された場合、保存してある符号化したデータから前回に行なったパンクチャと異なるパンクチャ処理を行い、パンクチャしたデータを送信処理部１０７に出力する。
【００８４】
送信処理部１０７は、送信ＨＡＲＱ処理部１０５から入力されたデータに変調・符号化を行なう。送信処理部１０７は、変調・符号化されたデータをＤＦＴ（Discrete Fourier Transform（離散フーリエ変換））−ＩＦＦＴ（Inverse Fast Fourier Transform（逆高速フーリエ変換））処理し、処理後、ＣＰ（Cyclic prefix）を挿入し、ＣＰ挿入後のデータを上りリンクの各コンポーネントキャリア（セル）の物理上りリンク共用チャネル（ＰＵＳＣＨ）に配置し、無線部１０９に出力する。
【００８５】
また、送信処理部１０７は、ＰＨＹ制御部１１７から受信データの応答指示があった場合、ＡＣＫまたはＮＡＣＫ信号を生成し、生成した信号を上りリンクの各コンポーネントキャリア（セル）の物理上りリンク制御チャネル（ＰＵＣＣＨ）に配置し、無線部１０９に出力する。送信処理部１０７は、ＰＨＹ制御部１１７からスケジューリングリクエストの送信指示があった場合、スケジューリングリクエスト信号を生成し、生成した信号を上りリンクの各コンポーネントキャリア（セル）の物理上りリンク制御チャネル（ＰＵＣＣＨ）に配置し、無線部１０９に出力する。送信処理部１０７は、ＰＨＹ制御部１１７からランダムアクセスプリアンブルの送信指示があった場合、ランダムアクセスプリアンブルを生成し、生成した信号を物理ランダムアクセスチャネル（ＰＲＡＣＨ）に配置し、無線部１０９に出力する。
【００８６】
無線部１０９は、送信処理部１０７から入力されたデータをＰＨＹ制御部１１７から指示された送信位置情報（送信セル情報）の無線周波数にアップコンバートし、送信電力を調整して送信アンテナからデータを送信する。また、無線部１０９は、受信アンテナより受信した無線信号をダウンコンバートし、受信処理部１１１に出力する。
【００８７】
受信処理部１１１は、無線部１０９から入力された信号をＦＦＴ（Fast Fourier Transform（高速フーリエ変換））処理、復号化、復調処理等を行なう。受信処理部１１１は、復調したデータの中で物理下りリンク共用チャネル（ＰＤＳＣＨ）のデータを受信ＨＡＲＱ処理部１１３に出力する。また、受信処理部１１１は、復調したデータの中で物理下りリンク制御チャネルＰＤＣＣＨから取得した制御データの上りリンク送信データの応答情報（ＡＣＫ／ＮＡＣＫ）および上りリンク送信許可情報（Uplink grant:上りリンクグラント）をＭＡＣ制御部１１９に出力する。尚、上りリンク送信許可情報は、データの変調・符号化方式、データサイズ情報、ＨＡＲＱ情報、送信位置情報などがある。
【００８８】
受信ＨＡＲＱ処理部１１３は、受信処理部１１１からの入力データの復号処理を行い、復号処理に成功した場合、データをＭＡＣ情報抽出部１１５に出力する。受信ＨＡＲＱ処理部１１３は、入力データの復号処理に失敗した場合、復号処理に失敗したデータを保存する。受信ＨＡＲＱ処理部１１３は、再送データを受信した場合、保存してあるデータと再送データを合成し、復号処理を行う。また、受信ＨＡＲＱ処理部１１３は、入力データの復号処理の成否をＭＡＣ制御部１１９に通知する。
【００８９】
ＭＡＣ情報抽出部１１５は、受信ＨＡＲＱ処理部１１３から入力されたデータからＭＡＣ層（Medium Access Control layer）の制御データを抽出し、抽出した制御情報をＭＡＣ制御部１１９に出力する。ＭＡＣ情報抽出部１１５は、残りのデータをデータ処理部１２１に出力する。データ処理部１２１は、ＰＤＣＰ層、ＲＬＣ層の機能を持ち、圧縮されたＩＰヘッダの解凍機能や暗号化されたデータの復号機能、データの分割及び結合等の処理を行い、データを元の形に戻す。データ処理部１２１は、ＲＲＣメッセージとユーザーデータに分け、ＲＲＣメッセージをＲＲＣ制御部１２３に出力し、ユーザーデータを上位層に出力する。
【００９０】
ＰＨＹ制御部１１７は、ＭＡＣ制御部１１９からの指示により送信処理部１０７、無線部１０９、および、受信処理部１１１を制御する。ＰＨＹ制御部１１７は、ＭＡＣ制御部１１９から通知された変調・符号化方式、送信電力情報および送信位置情報（送信セル情報）から変調・符号化方式および送信位置を送信処理部１０７に通知し、送信セルの周波数情報および送信電力情報を無線部１０９に通知する。
【００９１】
ＭＡＣ制御部１１９は、ＲＲＣ制御部１２３から指定されたデータ送信制御設定および送信データ記憶部１０３から取得したデータ量情報および受信処理部１１１から取得した上りリンク送信許可情報をもとにデータ送信先およびデータ送信優先順位を決定し、送信するデータに関する情報を送信データ記憶部１０３に通知する。また、ＭＡＣ制御部１１９は、送信ＨＡＲＱ処理部１０５にＨＡＲＱ情報を通知し、ＰＨＹ制御部１１７に変調・符号化方式および送信位置情報（送信セル情報）を出力する。
【００９２】
ＭＡＣ制御部１１９は、送信データ記憶部１０３から取得したデータ量情報からスケジューリングリクエストを送信するか判断し、スケジューリングリクエストの送信を決定した場合、ＰＨＹ制御部１１７にスケジューリングリクエスト送信を指示する。ＭＡＣ制御部１１９は、スケジューリングリクエストに対応する上りリンク送信許可情報を取得した場合、バッファステータスレポートを作成し、作成したバッファステータスレポートを送信データ記憶部１０３に出力する。
【００９３】
ＭＡＣ制御部１１９は、スケジューリングリクエストの送信回数をカウントして、スケジューリングリクエストの送信回数が最大送信回数に達しても上りリンク送信許可情報を取得しない場合、ランダムアクセスプリアンブル送信をＰＨＹ制御部１１７に指示する。また、ＭＡＣ制御部１１９は、ＲＲＣ制御部１２３に自移動局装置に割り当てられている上りリンク無線リソースの解放を通知する。
【００９４】
ＭＡＣ制御部１１９は、ランダムアクセスプリアンブルの送信回数をカウントして、ランダムアクセスプリアンブルの送信回数が最大送信回数に達しても上りリンク送信許可情報を取得せず、ランダムアクセス手順が終了しない場合、ランダムアクセス問題が発生した判断する。ＭＡＣ制御部１１９は、ランダムアクセス問題が発生したセルがマクロセル（第一セル）の場合、ＲＲＣ制御部１２３にランダムアクセス問題が発生したことを通知する。
【００９５】
ＭＡＣ制御部１１９は、ランダムアクセス問題が発生したセルがスモールセル（第二セル）の場合、マクロセルでのスケジューリングリクエスト送信をＰＨＹ制御部１１７に指示する。そして、ＭＡＣ制御部１１９は、マクロセルでのスケジューリングリクエストに対応する上りリンク送信許可情報を取得した場合、スモールセルで送信するデータのバッファステータスレポートを作成し、作成したバッファステータスレポートを送信データ記憶部１０３に出力する。
【００９６】
ＭＡＣ制御部１１９は、受信処理部１１１から上りリンク送信データに対する応答情報を取得し、応答情報がＮＡＣＫ（否応答）を示していた場合、送信ＨＡＲＱ処理部１０５とＰＨＹ制御部１１７に再送を指示する。ＭＡＣ制御部１１９は、受信ＨＡＲＱ処理部１１３からデータの復号処理の成否情報を取得した場合、ＰＨＹ制御部１１７にＡＣＫまたはＮＡＣＫ信号を送信するように指示する。
【００９７】
また、ＭＡＣ制御部１１９は、ＭＡＣ層の機能を持ち、ＭＡＣ情報抽出部１１５から入力されたＭＡＣ制御情報の中でセル（または、コンポーネントキャリア）のアクティベーション／デアクティベーション指示情報及び間欠受信（ＤＲＸ）制御情報を取得した場合、アクティベーション／デアクティベーション制御及びＤＲＸ制御を行うために無線部１０９、送信処理部１０７及び受信処理部１１１の制御を行うためにＰＨＹ制御部１１７を制御する。
【００９８】
ＭＡＣ制御部１１９は、ＭＡＣ情報抽出部１１５から入力されたＭＡＣ制御情報の中で送信タイミング情報をＰＨＹ制御部１１７へ出力する。ＭＡＣ制御部１１９は、上りリンク送信タイミングを管理し、ＰＨＹ制御部１１７を制御する。
【００９９】
ＲＲＣ制御部１２３は、基地局装置３−１との接続・切断処理、キャリアアグリゲーションの設定、制御データおよびユーザーデータのデータ送信制御設定など基地局装置３−１及び基地局装置３−２と通信を行うための各種設定を行う。ＲＲＣ制御部１２３は、前記各種設定に伴う上位層との情報のやり取りを行い、前記各種設定に伴う下位層の制御を行う。ＲＲＣ制御部１２３は、基地局装置３−１から割り当てられた各セルの無線リソースを管理する。
【０１００】
ＲＲＣ制御部１２３は、ＲＲＣメッセージを作成し、作成したＲＲＣメッセージをデータ生成部１０１に出力する。ＲＲＣ制御部１２３は、データ処理部１２１から入力されたＲＲＣメッセージを解析する。ＲＲＣ制御部１２３は、ＭＡＣ層に必要な情報をＭＡＣ制御部１１９に出力し、物理層に必要な情報をＰＨＹ制御部１１７に出力する。
【０１０１】
ＲＲＣ制御部１２３は、ＭＡＣ層から上りリンク無線リソースの解放を通知された場合、対象となるセルに割り当てられている物理上りリンク制御チャネルＰＵＣＣＨ、上りリンク参照信号等の上りリンクの無線リソースを解放する。ＲＲＣ制御部１２３は、ＭＡＣ層からランダムアクセス問題が通知された場合、無線リンク失敗と判断して、再接続処理を行う。
【０１０２】
尚、送信処理部１０７、無線部１０９、受信処理部１１１、ＰＨＹ制御部１１７は、物理層の動作を行い、送信データ記憶部１０３、送信ＨＡＲＱ処理部１０５、受信ＨＡＲＱ処理部１１３、ＭＡＣ情報抽出部１１５、ＭＡＣ制御部１１９は、ＭＡＣ層の動作を行い、データ生成部１０１及びデータ処理部１２１は、ＲＬＣ層及びＰＤＣＰ層の動作を行い、ＲＲＣ制御部１２３はＲＲＣ層の動作を行う。
【０１０３】
図２は、本発明の実施形態に係る基地局装置の構成を示す図である。基地局装置３−１、または、基地局装置３−２は、データ生成部２０１、送信データ記憶部２０３、送信ＨＡＲＱ処理部２０５、送信処理部２０７、無線部２０９、受信処理部２１１、受信ＨＡＲＱ処理部２１３、ＭＡＣ情報抽出部２１５、ＰＨＹ制御部２１７、ＭＡＣ制御部２１９、データ処理部２２１、ＲＲＣ制御部２２３、基地局装置間通信部２２５、ＭＭＥ通信部２２７、および、ＧＷ通信部２２９から構成される。
【０１０４】
ＧＷ通信部２２９からのユーザーデータおよびＲＲＣ制御２２３からの制御データは、データ生成部２０１に入力さる。データ生成部２０１は、ＰＤＣＰ層、ＲＬＣ層の機能を持ち、ユーザーデータのＩＰパケットのヘッダ圧縮やデータの暗号化、データの分割及び結合等の処理を行い、データサイズを調節する。データ生成部２０１は、処理を行ったデータとデータの論理チャネル情報を送信データ記憶部２０３に出力する。
【０１０５】
送信データ記憶部２０３は、データ生成部２０１から入力されたデータをユーザー毎に蓄積し、ＭＡＣ制御部２１９からの指示に基づいて指示されたユーザーのデータを指示されたデータ量分だけ送信ＨＡＲＱ処理部２０５に出力する。また、送信データ記憶部２０３は、蓄積されたデータのデータ量の情報をＭＡＣ制御部２１９に出力する。
【０１０６】
送信ＨＡＲＱ処理部２０５は、入力データに符号化を行い、符号化したデータにパンクチャ処理を行う。そして、送信ＨＡＲＱ処理部２０５は、パンクチャしたデータを送信処理部２０７に出力し、符号化したデータを保存する。送信ＨＡＲＱ処理部２０５は、ＭＡＣ制御部２１９からデータの再送を指示された場合、保存してある符号化したデータから前回に行なったパンクチャと異なるパンクチャ処理を行い、パンクチャしたデータを送信処理部２０７に出力する。
【０１０７】
送信処理部２０７は、送信ＨＡＲＱ処理部２０５から入力されたデータに変調・符号化を行なう。送信処理部２０７は、変調・符号化されたデータを各セルの物理下りリンク制御チャネルＰＤＣＣＨ、下りリンク同期信号、物理報知チャネルＰＢＣＨ、物理下りリンク共用チャネルＰＤＳＣＨなどの信号及び各チャネルにマッピングし、マッピングしたデータを直列／並列変換、ＩＦＦＴ（Inverse Fast Fourier Transform（逆高速フーリエ変換））変換、ＣＰ挿入などのＯＦＤＭ信号処理を行い、ＯＦＤＭ信号を生成する。
【０１０８】
そして、送信処理部２０７は、生成したＯＦＤＭ信号を無線部２０９に出力する。また、送信処理部２０７は、ＭＡＣ制御部２１９から受信データの応答指示があった場合、ＡＣＫまたはＮＡＣＫ信号を生成し、生成した信号を物理下りリンク制御チャネルＰＤＣＣＨに配置し、無線部２０９に出力する。送信処理部２０７は、ＰＨＹ制御部２１７から通知された上りリンク送信許可情報を物理下りリンク制御チャネルＰＤＣＣＨに配置し、無線部２０９に出力する。
【０１０９】
無線部２０９は、送信処理部２０７から入力されたデータを無線周波数にアップコンバートし、送信電力を調整して送信アンテナからデータを送信する。また、無線部２０９は、受信アンテナより受信した無線信号をダウンコンバートし、受信処理部２１１に出力する。受信処理部２１１は、無線部２０９から入力された信号をＦＦＴ（Fast Fourier Transform（高速フーリエ変換））処理、復号化、復調処理等を行なう。
【０１１０】
受信処理部２１１は、復調したデータの中で物理上りリンク共用チャネル（ＰＵＳＣＨ）のデータを受信ＨＡＲＱ処理部２１３に出力する。また、受信処理部２１１は、復調したデータの中で物理上りリンク制御チャネルＰＵＣＣＨから取得した制御データの下りリンク送信データの応答情報（ＡＣＫ／ＮＡＣＫ）、下りリンク無線チャネル品質情報（ＣＱＩ）及び上りリンク送信要求情報（スケジューリングリクエスト）をＭＡＣ制御部２１９に出力する。
【０１１１】
受信ＨＡＲＱ処理部２１３は、受信処理部２１１からの入力データの復号処理を行い、復号処理に成功した場合、データをＭＡＣ情報抽出部２１５に出力する。受信ＨＡＲＱ処理部２１３は、入力データの復号処理に失敗した場合、復号処理に失敗したデータを保存する。受信ＨＡＲＱ処理部２１３は、再送データを受信した場合、保存してあるデータと再送データを合成し、復号処理を行う。また、受信ＨＡＲＱ処理部２１３は、入力データの復号処理の成否をＭＡＣ制御部２１９に通知する。
【０１１２】
ＭＡＣ情報抽出部２１５は、受信ＨＡＲＱ処理部２１３から入力されたデータからＭＡＣ層の制御データを抽出し、抽出した制御情報をＭＡＣ制御部２１９に出力する。ＭＡＣ情報抽出部２１５は、残りのデータをデータ処理部２２１に出力する。ＭＡＣ層の制御データには、バッファステータスレポートなどがある。データ処理部２２１は、ＰＤＣＰ層、ＲＬＣ層の機能を持ち、圧縮されたＩＰヘッダの解凍機能や暗号化されたデータの復号機能、データの分割及び結合等の処理を行い、データを元の形に戻す。データ処理部２２１は、ＲＲＣメッセージとユーザーデータに分け、ＲＲＣメッセージをＲＲＣ制御部２２３に出力し、ユーザーデータを上位層に出力する。
【０１１３】
ＰＨＹ制御部２１７は、ＭＡＣ制御部２１９からの指示により送信処理部２０７、無線部２０９、および、受信処理部２１１を制御する。ＰＨＹ制御部２１７は、ＭＡＣ制御部２１９から通知された上りリンクのスケジューリング結果から上りリンク送信許可情報を作成し、送信処理部２０７に通知する。
【０１１４】
ＭＡＣ制御部２１９は、ＭＡＣ層の機能を持ち、ＲＲＣ制御部２２３や下位層などから取得した情報をもとにＭＡＣ層の制御を行う。ＭＡＣ制御部２１９は、下りリンクおよび上りリンクで送信されるデータのスケジューリング処理を行う。ＭＡＣ制御部２１９は、受信処理部２１１から入力された下りリンク送信データの応答情報（ＡＣＫ／ＮＡＣＫ）、下りリンク無線チャネル品質情報（ＣＱＩ）、及び、送信データ記憶部２０３から取得したユーザー毎のデータ量情報から下りリンクデータのスケジューリング処理を行う。ＭＡＣ制御部２１９は、スケジューリング処理の結果に基づいて、送信データ記憶部２０３、送信ＨＡＲＱ処理部２０５、送信処理部２０７を制御する。
【０１１５】
ＭＡＣ制御部２１９は、受信処理部２１１から入力された上りリンク送信要求情報（スケジューリングリクエスト）、ＭＡＣ情報抽出部２１５から入力されたバッファステータスレポートから上りリンクデータのスケジューリング処理を行う。ＭＡＣ制御部２１９は、スケジューリング処理の結果をＰＨＹ制御部２１７に通知する。ＭＡＣ制御部２１９は、マクロセルの物理上りリンク共用チャネルＰＵＳＣＨで受信したバッファステータスレポートがスモールセルに対するバッファステータスレポートを示していた場合、ＲＲＣ制御部２２３にスモールセルに対するバッファステータスレポートを取得したことを通知する。
【０１１６】
また、ＭＡＣ制御部２１９は、受信処理部２１１から上りリンク送信データに対する応答情報を取得し、応答情報がＮＡＣＫ（否応答）を示していた場合、送信ＨＡＲＱ処理部２０５と送信処理部２０７に再送を指示する。ＭＡＣ制御部２１９は、受信ＨＡＲＱ処理部２１３からデータの復号処理の成否情報を取得した場合、送信処理部２０７にＡＣＫまたはＮＡＣＫ信号を送信するように指示する。
【０１１７】
また、ＭＡＣ制御部２１９は、移動局装置１−１に割り当てたセル（または、コンポーネントキャリア）のアクティベーション／デアクティベーション処理や上りリンク送信タイミングの管理等を行う。
【０１１８】
ＲＲＣ制御部２２３は、移動局装置１−１との接続・切断処理、キャリアアグリゲーションの設定、移動局装置１−１の制御データおよびユーザーデータをどのセルで送受信するかのデータ送信制御設定など移動局装置１−１と通信を行うための各種設定を行い、前記各種設定に伴う上位層との情報のやり取りを行い、前記各種設定に伴う下位層の制御を行う。
【０１１９】
ＲＲＣ制御部２２３は、各種ＲＲＣメッセージを作成し、作成したＲＲＣメッセージをデータ生成部２０１に出力する。ＲＲＣ制御部２２３は、データ処理部２２１から入力されたＲＲＣメッセージを解析する。ＲＲＣ制御部２２３は、ＭＡＣ層に必要な情報をＭＡＣ制御部２１９に出力し、物理層に必要な情報をＰＨＹ制御部２１７に出力する。また、ＲＲＣ制御部２２３は、ハンドオーバー、または、デュアルコネクトを行う場合、基地局装置間通信部２２５およびＭＭＥ通信部２２７に必要な情報を通知する。
【０１２０】
ＲＲＣ制御部２２３は、ＭＡＣ制御部２１９からマクロセルの物理上りリンク共用チャネルＰＵＳＣＨでスモールセルに対するバッファステータスレポートの取得を通知された場合、デュアルコネクトを解除するため、スモールセルの基地局装置３−２にデュアルコネクト解放要求メッセージを作成し、基地局装置間通信部２２５にメッセージを出力する。また、ＲＲＣ制御部２２３は、パススイッチ要求メッセージを作成し、ＭＭＥ通信部２２７にメッセージを出力する。
【０１２１】
基地局装置間通信部２２５は、他の基地局装置と接続し、ＲＲＣ制御部２２３から入力された基地局装置間の制御メッセージを他の基地局装置に送信する。また、基地局装置間通信部２２５は、他の基地局装置からの基地局装置間の制御メッセージを受信し、受信した制御メッセージをＲＲＣ制御部２２３に出力する。基地局装置間の制御メッセージには、ハンドオーバーリクエストメッセージ、デュアルコネクト解放要求メッセージ、ハンドオーバーリクエスト応答メッセージ、デュアルコネクト解放要求応答メッセージ、ステータス転送メッセージ、移動局情報解放メッセージなどがある。
【０１２２】
ＭＭＥ通信部２２７は、ＭＭＥと接続し、ＲＲＣ制御部２２３から入力された基地局装置−ＭＭＥ間の制御メッセージをＭＭＥに送信する。また、ＭＭＥ通信部２２７は、ＭＭＥからの基地局装置−ＭＭＥ間の制御メッセージを受信し、受信した制御メッセージをＲＲＣ制御部２２３に出力する。基地局装置−ＭＭＥ間の制御メッセージには、パススイッチ要求メッセージ、パススイッチ要求応答メッセージなどがある。
【０１２３】
ＧＷ間通信部２２９は、ＧＷと接続し、ＧＷから送られる移動局装置のユーザーデータを受信し、受信したデータをデータ生成部２０１に出力する。また、ＧＷ間通信部２２９は、データ処理部２２１から入力された移動局装置のユーザーデータをＧＷに送信する。
【０１２４】
尚、送信処理部２０７、無線部２０９、受信処理部２１１は、ＰＨＹ層の動作を行い、送信データ記憶部２０３、送信ＨＡＲＱ処理部２０５、受信ＨＡＲＱ処理部２１３、ＭＡＣ情報抽出部２１５、ＭＡＣ制御部２１９は、ＭＡＣ層の動作を行い、データ生成部２０１及びデータ処理部２２１は、ＲＬＣ層及びＰＤＣＰ層の動作を行い、ＲＲＣ制御部２２３はＲＲＣ層の動作を行う。
【０１２５】
[動作説明]
図６〜図１４で説明したような無線通信システムを想定する。そして、図６が示すように、基地局装置３−１と複数の移動局装置１−１、１−２、１−３とが通信を行なう。また、図１４で説明したマクロセルの基地局装置３−１およびスモールセルの基地局装置３−２がデュアルコネクトでキャリアアグリゲーションを行い複数のセルを介して移動局装置１−１と通信を行なうような無線通信システムを想定している。
【０１２６】
移動局装置１−１がマクロセルの基地局装置３−１で制御データを送信し、スモールセルの基地局装置３−２でユーザーデータを送信するために、移動局装置１−１は上りリンクの無線リソースを取得するために上りリンク送信要求（Scheduling Request：スケジューリングリクエスト）を送信する必要がある。
【０１２７】
しかし、スケジューリングリクエストを送信するための物理上りリンク制御チャネルＰＵＣＣＨがマクロセルに対してのみ移動局装置１−１に割り当てられ、移動局装置１−１がスモールセルに対するユーザーデータ送信のためのスケジューリングリクエストをマクロセルの物理上りリンク制御チャネルＰＵＣＣＨで送信する場合、マクロセルの基地局装置３−１とスモールセルの基地局装置３−２間に通信遅延があるため、スモールセルの基地局装置３−２が直ぐに移動局装置１−１への上りリンクのスケジューリングを行うことができない。そこで、マクロセルの基地局装置３−１は、スケジューリングの遅延を防ぐためにマクロセルだけでなく、スモールセルに対してもスケジューリングリクエストを送信するための物理上りリンク制御チャネルＰＵＣＣＨを移動局装置１−１に割り当てる。
【０１２８】
移動局装置１−１は、送信バッファにマクロセルの基地局装置３−１に送信するデータがあり、マクロセルの上りリンク無線リソースが割り当てられていない場合、割り当てられたマクロセルの物理上りリンク制御チャネルＰＵＣＣＨを使用してスケジューリングリクエストをマクロセルの基地局装置３−１に送信する。また、移動局装置１−１は、送信バッファにスモールセルの基地局装置３−２に送信するデータがあり、スモールセルの上りリンク無線リソースが割り当てられていない場合、割り当てられているスモールセルの物理上りリンク制御チャネルＰＵＣＣＨを使用してスケジューリングリクエストをスモールセルの基地局装置３−２に送信する。
【０１２９】
そして、各基地局装置は、移動局装置１−１からのスケジューリングリクエストを受信するとバッファステータスレポートを送信するための上りリンク無線リソースを移動局装置１−１に割り当てる。移動局装置１−１は、各基地局装置から割り当てられた上りリンクの無線リソースを使用して各基地局装置にバッファステータスレポートを送信する。
【０１３０】
尚、移動局装置１−１は、割り当てられたマクロセルの物理上りリンク制御チャネルＰＵＣＣＨを使用してスケジューリングリクエストをマクロセルの基地局装置３−１に最大送信回数分送信してもマクロセルの基地局装置３−１から上りリンクの無線リソースが割り当てられない場合、割り当てられているマクロセルの物理上りリンク制御チャネルＰＵＣＣＨおよび上りリンク参照信号の無線リソースを解放して、スケジューリングリクエストのためランダムアクセス手順を実行する。
【０１３１】
ランダムアクセス手順実行によりマクロセルの基地局装置３−１から上りリンクの無線リソースが割り当てられた場合、移動局装置１−１は、マクロセルの基地局装置３−１から割り当てられた上りリンクの無線リソースを使用してマクロセルの基地局装置３−１に基地局装置３−１への送信に対応するバッファステータスレポートを送信する。尚、ランダムアクセス手順を実行し、ランダムアクセスプリアンブルの送信回数が最大送信回数に達してもランダムアクセス手順が終了せずにマクロセルの基地局装置３−１から上りリンクの無線リソースが割り当てられない場合、移動局装置１−１は、ランダムアクセス問題を検出して、無線リンク失敗を判断し、再接続処理を行う。
【０１３２】
また、移動局装置１−１は、スモールセルに割り当てられた物理上りリンク制御チャネルＰＵＣＣＨを使用してスケジューリングリクエストをスモールセルの基地局装置３−２に最大送信回数分送信してもスモールセルの基地局装置３−２から上りリンクの無線リソースが割り当てられない場合、スモールセルに割り当てられている物理上りリンク制御チャネルＰＵＣＣＨおよび上りリンク参照信号の無線リソースを解放して、スケジューリングリクエストのためランダムアクセス手順を実行する。
【０１３３】
ランダムアクセス手順実行によりスモールセルの基地局装置３−２から上りリンクの無線リソースが割り当てられた場合、移動局装置１−１は、スモールセルの基地局装置３−２から割り当てられた上りリンクの無線リソースを使用してスモールセルの基地局装置３−２に基地局装置３−２への送信に対応するバッファステータスレポートを送信する。
【０１３４】
尚、ランダムアクセス手順を実行し、ランダムアクセスプリアンブルの送信回数が最大送信回数に達してもランダムアクセス手順が終了せずにスモールセルの基地局装置３−２から上りリンクの無線リソースが割り当てられない場合、移動局装置１−１は、ランダムアクセス手順は成功しなかったと判断する。
【０１３５】
そして、移動局装置１−１は、マクロセルにおいてスケジューリングリンクエストを行う。すなわち、移動局装置１−１は、マクロセルの基地局装置３−１に物理上りリンク制御チャネルＰＵＣＣＨまたはランダムアクセス手順でのスケジューリングリクエストを送信する。マクロセルの基地局装置３−１へのスケジューリングリクエストにより上りリンクの無線リソースが割り当てられた場合、移動局装置１−１は、マクロセルの基地局装置３−１に基地局装置３−２への送信に対応するバッファステータスレポートを送信する。
【０１３６】
マクロセルの基地局装置３−１は、取得したバッファステータスレポートがスモールセルの基地局装置３−２に対するバッファステータスレポートと判断すると、スモールセルの基地局装置３−２と移動局装置１−１間の上りリンクの無線リンクに問題が発生したと判断する。そして、マクロセルの基地局装置３−１は、デュアルコネクトを解除する手順を実行する。
【０１３７】
このように、移動局装置１−１がスモールセルの基地局装置３−２へのデータ送信に対応するバッファステータスレポートをマクロセルの基地局装置３−１に送信することにより、マクロセルの基地局装置３−１がスモールセルの基地局装置３−２の無線リンクの問題を検出し、移動局装置１−１のユーザーデータ送信を妨げないようにする。
【０１３８】
図３は、移動局装置１−１のスケジューリングリクエスト送信処理に関するフローチャートの例を示す。尚、マクロセル（プライマリーセル：Primary Cell）の基地局装置を基地局装置３−１、スモールセル（セカンダリーセル：Secondary Cell）の基地局装置を基地局装置３−２として、移動局装置１−１は、マクロセルセルで制御データを送信し、スモールセルセルでユーザーデータを送信するものとする。尚、ここで示す制御データとは、ＲＲＣ層の制御メッセージのことを言う。
【０１３９】
移動局装置１−１は、送信バッファに新たに送信するデータが発生したか確認する（ステップＳ２０１）。送信するデータが発生していない場合、移動局装置１−１は、ステップＳ２０１に戻り、送信するデータの発生を待つ。送信するデータが発生した場合、移動局装置１−１は、送信バッファの状態を示したバッファステータスレポート（Buffer Status Report：ＢＳＲ）を送信するための物理上りリンク共用チャネルＰＵＳＣＨの割り当てがあるかどうか確認する（ステップＳ２０２）。
【０１４０】
物理上りリンク共用チャネルＰＵＳＣＨの割り当てがある場合、移動局装置１−１は、割り当てられている物理上りリンク共用チャネルＰＵＳＣＨを使用してバッファステータスレポートを基地局装置３−１または基地局装置３−２に送信する（ステップＳ２０３）。物理上りリンク共用チャネルＰＵＳＣＨの割り当てがない場合、発生した送信データに対応するセルの物理上りリンク制御チャネルＰＵＣＣＨでスケジューリングリクエストを送信する（ステップＳ２０４）。
【０１４１】
つまり、基地局装置３−１に送信するデータがある場合、移動局装置１−１は、基地局装置３−１の上りリンクセルの物理上りリンク共用チャネルＰＵＳＣＨでバッファステータスレポートを送信するか、または、基地局装置３−１の上りリンクセルの物理上りリンク制御チャネルＰＵＣＣＨでスケジューリングリクエストを送信する。また、基地局装置３−２で送信するデータがある場合、移動局装置１−１は、基地局装置３−２の上りリンクセルの物理上りリンク共用チャネルＰＵＳＣＨでバッファステータスレポートを送信するか、または、基地局装置３−２の上りリンクセルの物理上りリンク制御チャネルＰＵＣＣＨでスケジューリングリクエストを送信する。
【０１４２】
スケジューリングリクエストの送信後、移動局装置１−１は、一定期間の間、スケジューリングリクエストを送信した上りリンクのセルに対応する下りリンクのセルの物理下りリンク制御チャネルＰＤＣＣＨをモニタして、物理上りリンク共用チャネルＰＵＳＣＨの送信許可情報（Uplink grant）を受信したか確認する（ステップＳ２０５）。物理上りリンク共用チャネルＰＵＳＣＨの送信許可情報を受信した場合、移動局装置１−１は、割り当てられた物理上りリンク共用チャネルＰＵＳＣＨを使用して対応するバッファステータスレポートを基地局装置３−１または基地局装置３−２に送信する（ステップＳ２１４）。
【０１４３】
一定期間の間に物理上りリンク共用チャネルＰＵＳＣＨの送信許可情報を受信しない場合、移動局装置１−１は、スケジューリングリクエストの送信回数がスケジューリングリクエストの最大送信回数に達したかを確認する（ステップＳ２０６）。スケジューリングリクエストの送信回数がスケジューリングリクエストの最大送信回数に達していない場合、ステップＳ２０４に戻り、移動局装置１−１は、再度、スケジューリングリクエストを送信する。
【０１４４】
スケジューリングリクエストの送信回数がスケジューリングリクエストの最大送信回数に達しても物理上りリンク共用チャネルＰＵＳＣＨの送信許可情報を受信しない場合、移動局装置１−１は、物理上りリンク制御チャネルＰＵＣＣＨ、上りリンク参照信号などの割り当てられている上りリンク無線リソースを解放して、ランダムアクセス手順によるスケジューリングリクエストを行う。移動局装置１−１は、ランダムアクセスプリアンブルを物理ランダムアクセスチャネルＰＲＡＣＨに送信する（ステップＳ２０７）。
【０１４５】
ランダムアクセスプリアンブルの送信後、移動局装置１−１は、一定期間の間、ランダムアクセスプリアンブルを送信した上りリンクのセルに対応する下りリンクのセルの物理下りリンク制御チャネルＰＤＣＣＨをモニタして、ランダムアクセスレスポンスを受信したか確認する（ステップＳ２０８）。ランダムアクセスレスポンスを受信した場合、移動局装置１−１は、ランダムアクセスレスポンスで示された物理上りリンク共用チャネルＰＵＳＣＨを使用してバッファステータスレポートを基地局装置３−１または基地局装置３−２に送信する（ステップＳ２１４）。
【０１４６】
一定期間の間にランダムアクセスレスポンスを受信しない場合、移動局装置１−１は、ランダムアクセスプリアンブルの送信回数がランダムアクセスプリアンブルの最大送信回数に達したかを確認する（ステップＳ２０９）。ランダムアクセスプリアンブルの送信回数がランダムアクセスプリアンブルの最大送信回数に達していない場合、ステップＳ２０７に戻り、移動局装置１−１は、再度、ランダムアクセスプリアンブルを送信する。
【０１４７】
ランダムアクセスプリアンブルの送信回数がランダムアクセスプリアンブルの最大送信回数に達した場合、ランダムアクセスプリアンブルを送信したセルがマクロセルかスモールセルかを確認する（ステップＳ２１０）。マクロセルの場合、移動局装置１−１は、ランダムアクセスプリアンブルの最大送信回数に達したことによりランダムアクセス問題を検出し、無線リンク失敗と判断して再接続処理を行う（ステップＳ２１１）。
【０１４８】
スモールセルの場合、移動局装置１−１は、ランダムアクセスプリアンブルの最大送信回数に達したことによりランダムアクセス手順が成功しなかったと判断して、スモールセルでのユーザーデータ送信を中止し、スモールセルでのユーザーデータ送信制御からマクロセルでのユーザーデータ送信制御に変更し、マクロセルの基地局装置３−１に対してスケジューリングリクエストを送信する（ステップＳ２１２）。
【０１４９】
マクロセルの基地局装置３−１に対するスケジューリングリクエスト送信後、移動局装置１−１は、スケジューリングリクエスト送信から物理上りリンク共用チャネルＰＵＳＣＨの割り当て情報を取得するまでステップＳ１０４からステップＳ１１１までと同様の動作を行う。物理上りリンク共用チャネルＰＵＳＣＨの送信許可情報を取得した場合、移動局装置１−１は、マクロセルの基地局装置３−１にスモールセルの基地局装置３−２に送信予定だったユーザーデータに関するバッファステータスレポートを送信する（ステップＳ２１３）。
【０１５０】
尚、移動局装置１−１は、スモールセルでのランダムアクセスプリアンブルの最大送信回数に達したことによりランダムアクセス問題を検出し、無線リンク失敗と判断して、マクロセルでのユーザーデータ送信制御に変更し、マクロセルの基地局装置３−１にスケジューリングリクエストを送信するようにしても良い。
【０１５１】
また、移動局装置１−１は、物理上りリンク制御チャネルＰＵＣＣＨを使用したスケジューリングリクエストがスケジューリングリクエストの最大送信回数に達した場合に、上りリンクの無線リンク失敗と判定して、マクロセルの基地局装置３−１にスケジューリングリクエストを送信するようにしても良い。
【０１５２】
上記例では、移動局装置１−１がスケジューリングリクエスト送信処理中に上りリンクの無線リンクで無線リンクの問題を検出した場合の動作例を示したが、下りリンクの無線リンクで無線リンク問題を検出した場合も同様にマクロセルの基地局装置３−１にバッファステータスレポートを送信することによりスモールセルの基地局装置３−２と移動局装置１−１間の無線リンクの問題を通知することができる。
【０１５３】
つまり、移動局装置１−１は下りリンクの無線チャネル品質測定のために下りリンク参照信号を測定する。移動局装置１−１は、下りリンク参照信号が受信できなくなった場合、または、下りリンク参照信号の受信品質がある値以下になった場合に、下りリンクの無線リンク問題を検出する。下りリンクの無線リンク問題の検出後、一定時間経過しても下りリンクの無線リンク問題が解消されない場合、移動局装置１−１は、下りリンクの無線リンク失敗の発生を判断する。
【０１５４】
尚、移動局装置１−１は、以下のセルを対象として下りリンクの無線リンク失敗について判断する。例えば、（１）ＰＵＣＣＨが割り当てられているセル、（２）基地局装置３−１から指定されたセル、（３）上りリンク送信タイミングの基準となるセル、（４）ＰＲＡＣＨが割り当てられているセル、（５）各セルグループのうち最もセルインデックス値が小さいセル、などである。
【０１５５】
下りリンクの無線リンク失敗がマクロセルで発生した場合、移動局装置１−１は、再接続処理を行い。下りリンクの無線リンク失敗がスモールセルで発生した場合、移動局装置１−１は、マクロセルの基地局装置３−１にスケジューリングリクエストを送信し、続いてバッファステータスレポートの送信を試みる。
【０１５６】
また、基地局装置３−１は、マクロセルの物理上りリンク共用チャネルＰＵＳＣＨで移動局装置１−１からバッファステータスレポートを受信し、バッファステータスレポートがスモールセルの基地局装置３−２で送信すべきバッファステータスレポートと認識すると、基地局装置３−１は移動局装置１−１とスモールセルの基地局装置３−２間の下りリンクに問題が発生したと解釈する。
【０１５７】
また、移動局装置１−１は、スモールセルの上りリンク、または下りリンクで無線リンクの問題を検出した場合、スモールセルでのデータ送受信を中止し、スモールセルをデアクティベートするようにしても良い。更に、移動局装置１−１は、スモールセルをデアクティベートするだけでなく、スモールセルを解放するようにしても良い。
【０１５８】
また、移動局装置１−１は、スモールセルの上りリンク、または下りリンクで無線リンクの問題を検出した場合、スモールセルに対するバッファステータスレポートをマクロセルの基地局装置３−１に送信するだけでなく、マクロセルの物理上りリンク制御チャネルＰＵＣＣＨを使用して、スモールセルの下りリンク無線チャネル品質情報（Channel Quality Indicator：ＣＱＩ）を送信するようにしても良い。
【０１５９】
また、移動局装置１−１は、スモールセルの上りリンク、または下りリンクで無線リンクの問題を検出した場合、スモールセルに対するバッファステータスレポートをマクロセルの基地局装置３−１に送信する代わりに、マクロセルの物理上りリンク制御チャネルＰＵＣＣＨを使用して、スモールセルの下りリンク無線チャネル品質情報（Channel Quality Indicator：ＣＱＩ）を送信するようにしても良い。マクロセルの基地局装置３−１は、スモールセルの下りリンク無線チャネル品質情報を受信することでスモールセルの基地局装置３−２と移動局装置１−１間の無線リンクで無線リンク問題が発生したと解釈する。
【０１６０】
基地局装置３−１は、デュアルコネクトを中止するためにスモールセルの基地局装置３−２にデュアルコネクトの解放を指示するメッセージを送信する。基地局装置３−２は、デュアルコネクトの解放を指示するメッセージを受信するとデュアルコネクトを中止して、ユーザーデータのデータパスを基地局装置３−１に戻す処理を行う。
【０１６１】
マクロセルの基地局装置３−１とスモールセルの基地局装置３−２間でデュアルコネクトを解放する手順を以下に示す。図４は、本発明の実施形態に係るデュアルコネクト解放手順の一例を示した図である。
【０１６２】
移動局装置１−１は、基地局装置３−２へ送信するユーザーデータのバッファ状況を示したバッファステータスレポートを基地局装置３−１に通知する（ステップＳ３０１）。基地局装置３−１は、受信したバッファステータスレポートが基地局装置３−２に対するユーザーデータのバッファステータスレポートと認識すると、移動局装置１−１とスモールセルの基地局装置３−２間の上りリンクに問題が発生したと解釈する。そして、基地局装置３−１は、デュアルコネクトを中止するためのデュアルコネクト解放要求メッセージをスモールセルの基地局装置３−２に通知する（ステップＳ３０２）。
【０１６３】
デュアルコネクト解放要求メッセージは、デュアルコネクトを中止する移動局装置１−１を示す情報（例えば、移動局装置識別情報Ｃ−ＲＮＴＩ）が少なくとも含まれる。デュアルコネクト解放要求メッセージには、デュアルコネクトを中止する理由を含めてもよい。スモールセルの基地局装置３−２は、デュアルコネクトの中止を了解すると、デュアルコネクト解放要求応答メッセージをマクロセルの基地局装置３−１に通知する（ステップＳ３０３）。
【０１６４】
基地局装置３−１がデュアルコネクト解放要求応答メッセージを受信すると、基地局装置３−１は移動局装置１−１にユーザーデータ送信をスモールセルからマクロセルに変更させるためのデータ送信制御設定メッセージを送信する（ステップＳ３０４）。そして、基地局装置３−１は、移動局装置１−１にスモールセルのデアクティベーションを指示するデアクティベーション指示メッセージを通知する（ステップＳ３０５）。デアクティベーション指示メッセージ送信後、基地局装置３−１は、移動局装置１−１にスモールセルの削除を示したキャリアアグリゲーション設定メッセージを通知するようにしても良い。
【０１６５】
基地局装置３−２は、デュアルコネクト解放要求応答メッセージの送信後、基地局装置３−１に移動局装置１−１のユーザーデータ情報を含んだステータス転送メッセージを通知する（ステップＳ３０６）。この後、基地局装置３−２は、基地局装置３−２が保持している移動局装置１−１のユーザーデータを基地局装置３−２に転送する。
【０１６６】
基地局装置３−１は、ステータス転送メッセージ受信後、ＭＭＥ（Mobility Management Entity）に対してパススイッチ要求メッセージを通知し、移動局装置１−１のユーザーデータのデータパスを基地局装置３−２から基地局装置３−１に変更するよう要求する（ステップＳ３０７）。
【０１６７】
ＭＭＥは、パススイッチ要求メッセージを受信すると、ＧＷ（Gateway）にモビリティベアラ要求メッセージを通知する（ステップＳ３０８）。ＧＷは、モビリティベアラ要求メッセージを受信すると、移動局装置１−１のユーザーデータのデータパスを基地局装置３−２から基地局装置３−１に変更する。そして、ＧＷは、ＭＭＥにモビリティベアラ要求応答メッセージを通知する（ステップＳ３０９）。ＭＭＥは、基地局装置３−１にパススイッチ要求応答メッセージを通知する（ステップＳ３１０）。
【０１６８】
尚、基地局装置３−１は、パススイッチ要求メッセージに基地局装置３−２とデュアルコネクト状態を解放することを示した情報を含めることでハンドオーバーでないデータパスの変更要求であることをＭＭＥに示すようにしても良い。また、デュアルコネクト用に新たなパススイッチ要求メッセージ、パススイッチ要求応答メッセージを用意するようにしても良い。
【０１６９】
基地局装置３−１は、パススイッチ要求応答メッセージを受信すると、基地局装置３−２に移動局装置１−１の情報の解放を指示する移動局情報解放メッセージを通知する（ステップＳ３１１）。基地局装置３−２は、移動局情報解放メッセージを受信すると、移動局装置１−１の情報を削除する。
【０１７０】
尚、ユーザーデータのデータパスがＧＷと基地局装置３−１間で設定され、基地局装置３−１が基地局装置３−２へユーザーデータを転送して、デュアルコネクト接続している場合、ステップＳ３０７、ステップＳ３０８、ステップＳ３０９およびステップＳ３１０は実行しなくても良い。また、基地局装置３−２は、ステータス転送メッセージ送信後、または、ステータス転送メッセージ送信後のユーザーデータの転送後、移動局情報解放メッセージを受信することなく移動局装置１−１の情報を削除ようにしても良い。
【０１７１】
上記のようにマクロセルの基地局装置３−１が移動局装置１−１からスモールセルの基地局装置３−２へのデータ送信に対応したバッファステータスレポートを受信することにより、スモールセルの基地局装置３−２と移動局装置１−１間の無線リンク問題を検出して、マクロセルの基地局装置３−１がスモールセルの基地局装置３−２とのデュアルコネクトを素早く解除することにより、移動局装置１−１のユーザーデータ送信を妨げないようにすることができる。
【０１７２】
上記例は、移動局装置１−１がマクロセルの基地局装置３−１にスモールセルの基地局装置３−２に対して送信すべきバッファステータスレポートを送信することにより、マクロセルの基地局装置３−１が基地局装置３−２と移動局装置間の無線リンクの問題を検出して、スモールセルの基地局装置３−２にデュアルコネクトの解除を通知する手順について示したが、以下にスモールセルの基地局装置３−２からマクロセルの基地局装置３−１にデュアルコネクトの解除を通知する手順を示す。
【０１７３】
スモールセルの基地局装置３−２は、移動局装置１−１から上りリンクの無線品質を測定するために送信される上りリンク参照信号の受信品質を測定する。尚、上りリンク参照信号の受信品質測定結果は、移動局装置１−１の上りリンクスケジューリングに使用される。基地局装置３−２は、上りリンク参照信号が受信できなくなった場合、または、上りリンク参照信号の受信品質がある値以下になった場合などの無線リンクの問題を検出した場合、基地局装置３−２は、マクロセルの基地局装置３−１にデュアルコネクトを中止するためにデュアルコネクトの解放を指示するメッセージを送信する。
【０１７４】
基地局装置３−１は、デュアルコネクトの解放を指示するメッセージを受信するとデュアルコネクトを中止して、ユーザーデータのデータパスを基地局装置３−１に戻す処理を行う。
【０１７５】
マクロセルの基地局装置３−１とスモールセルの基地局装置３−２間でデュアルコネクトを解放する手順を以下に示す。図５は、本発明の実施形態に係るデュアルコネクト解放手順の一例を示した図である。尚、マクロセルの基地局装置を基地局装置３−１、スモールセルの基地局装置を基地局装置３−２として以下に示す。
【０１７６】
スモールセルの基地局装置３−２は、移動局装置１−１から上りリンクの無線チャネル品質を測定するために送信される上りリンク参照信号の受信品質を測定する。基地局装置３−２は、上りリンク参照信号が受信できなくなった場合、または、上りリンク参照信号の受信チャネル品質がある値以下になった場合などの無線リンクの問題を検出した場合、基地局装置３−２は、マクロセルの基地局装置３−１にデュアルコネクトを中止するためにデュアルコネクト解放要求メッセージを送信する（Ｓ４０１）。
【０１７７】
尚、スモールセルの基地局装置３−２は、上りリンク参照信号が受信できなくなってから一定時間経過しても上りリンク参照信号が受信できない場合、または、上りリンク参照信号の受信チャネル品質がある値以下になってから一定時間経過しても上りリンク参照信号の受信チャネル品質がある値以下の場合に無線リンクの問題を検出したと判断しても良い。
【０１７８】
デュアルコネクト解放要求メッセージは、デュアルコネクトを中止する移動局装置１−１を示す情報（例えば、移動局装置識別情報Ｃ−ＲＮＴＩ）が少なくとも含まれる。デュアルコネクト解放要求メッセージには、デュアルコネクトを中止する理由を含めてもよい。基地局装置３−１は、デュアルコネクト解放要求メッセージを受信すると、デュアルコネクトを中止して、ユーザーデータのデータパスを基地局装置３−１に戻す処理を行う。マクロセルの基地局装置３−１は、デュアルコネクトの中止を了解すると、デュアルコネクト解放要求応答メッセージをスモールセルの基地局装置３−２通知する（ステップＳ４０２）。
【０１７９】
基地局装置３−１がデュアルコネクト解放要求応答メッセージの送信後、基地局装置３−１は、移動局装置１−１に移動局装置１−１のユーザーデータを基地局装置３−１のセルに送信するよう指示するデータ送信制御メッセージを送信する（ステップＳ４０３）。
【０１８０】
そして、基地局装置３−１は、スモールセルのデアクティベート指示を移動局装置１−１に通知する（ステップＳ４０4）。尚、デアクティベート指示の送信後、基地局装置３−１は、移動局装置１−１にスモールセルの削除を示したキャリアアグリゲーション設定メッセージを通知してもよい。
【０１８１】
基地局装置３−２は、デュアルコネクト解放要求応答メッセージの受信後、基地局装置３−１に移動局装置１−１のユーザーデータ情報を含んだステータス転送メッセージを通知する（ステップＳ４０５）。この後、基地局装置３−２は、基地局装置３−２が保持している移動局装置１−１のユーザーデータを基地局装置３−２に転送する。
【０１８２】
基地局装置３−１は、ステータス転送メッセージ受信後、ＭＭＥ（Mobility Management Entity）に対して、パススイッチ要求メッセージを通知し、移動局装置１−１のユーザーデータのデータパスを基地局装置３−２から基地局装置３−１に変更するよう要求する（ステップＳ４０６）。
【０１８３】
ＭＭＥは、パススイッチ要求メッセージを受信すると、ＧＷ（Gateway）にモビリティベアラ要求メッセージを通知する（ステップＳ４０７）。ＧＷは、モビリティベアラ要求メッセージを受信すると、移動局装置１−１のユーザーデータのデータパスを基地局装置３−２から基地局装置３−１に変更する。そして、ＧＷは、ＭＭＥにモビリティベアラ要求応答メッセージを通知する（ステップＳ４０８）。ＭＭＥは、基地局装置３−１にパススイッチ要求応答メッセージを通知する（ステップＳ４０９）。
【０１８４】
尚、基地局装置３−１は、パススイッチ要求メッセージに基地局装置３−２とデュアルコネクト状態を解放することを示した情報を含めることでハンドオーバーを伴わないデータパスの変更要求であることをＭＭＥに示すようにしても良い。また、デュアルコネクト用に新たなパススイッチ要求メッセージ、パススイッチ要求応答メッセージを用意するようにしても良い。
【０１８５】
基地局装置３−１は、パススイッチ要求応答メッセージを受信すると、基地局装置３−２に移動局装置１−１の情報の解放を指示する移動局情報解放メッセージを通知する（ステップＳ４１０）。基地局装置３−２は、移動局情報解放メッセージを受信すると、移動局装置１−１の情報を削除する。
【０１８６】
尚、ユーザーデータのデータパスがＧＷと基地局装置３−１間で設定され、基地局装置３−１が基地局装置３−２へユーザーデータを転送して、デュアルコネクト接続している場合、ステップＳ４０６、ステップＳ４０７、ステップＳ４０８、および、ステップＳ４０９は実行しなくても良い。また、基地局装置３−２は、ステータス転送メッセージ送信後、または、ステータス転送メッセージ送信後のユーザーデータの転送後、移動局情報解放メッセージを受信することなく移動局装置１−１の情報を削除ようにしても良い。
【０１８７】
上記例では、移動局装置１−１が、スモールセルの基地局装置３−２と移動局装置１−１間の無線リンクに問題が発生したことを検出した場合にマクロセルの基地局装置３−１にバッファステータスレポートを通知することで無線リンクに問題が発生したことを認識させて、スモールセルの基地局装置３−２と移動局装置１−１間のデータ送受信が滞らないようにする方法を示したが、マクロセルの基地局装置３−２と移動局装置１−１間の無線リンクに問題が発生した場合にも同様である。
【０１８８】
つまり、移動局装置１−１がマクロセルの基地局装置３−１と移動局装置１−１間の無線リンクに問題が発生したことを検出した場合、移動局装置１−１は、スモールセルの基地局装置３−２にバッファステータスレポートを通知することで無線リンクに問題が発生したことをスモールセルの基地局装置３−２に認識させる。
【０１８９】
そして、スモールセルの基地局装置３−２は、マクロセルの基地局装置３−１と移動局装置１−１間の無線リンクに問題が発生したことを認識した場合、第一セル（Primary Cell：ＰＣｅｌｌ）としての機能をスモールセルに移行させる処理をマクロセルの基地局装置間で行う。このようにすることで、再接続処理をできるだけ発生しないようにすることができる。また、マクロセルの基地局装置３−１が、マクロセルの基地局装置３−１と移動局装置１−１間の無線リンクに問題が発生したことを検出した場合も同様である。
【０１９０】
以上、図面を参照してこの発明の一実施形態について詳しく説明してきたが、具体的な構成は上述のものに限られることはなく、この発明の要旨を逸脱しない範囲内において様々な設計変更等をすることが可能である。
【０１９１】
実施形態では、端末装置もしくは通信装置の一例として移動局装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置に適用出来ることは言うまでもない。
【０１９２】
また、説明の便宜上、実施形態の移動局装置１−１、基地局装置３−１および基地局装置３−２を機能的なブロック図を用いて説明したが、移動局装置１−１、基地局装置３−１および基地局装置３−２の各部の機能またはこれらの機能の一部を実現するためのプログラムをコンピュータ読み取り可能な記録媒体に記録して、この記録媒体に記録されたプログラムをコンピュータシステムに読み込ませ、実行することにより移動局装置や基地局装置の制御を行なっても良い。尚、ここでいう「コンピュータシステム」とは、ＯＳや周辺機器等のハードウェアを含むものとする。
【０１９３】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに、「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに、前述した機能をコンピュータシステムに既に記録されているプログラムとの組み合わせで実現できるものであっても良い。
【０１９４】
また、上記各実施形態に用いた各機能ブロックは、典型的には集積回路であるＬＳＩとして実現してもよい。各機能ブロックは個別にチップ化してもよいし、一部または全部を集積してチップ化してもよい。また、集積回路化の手法はＬＳＩに限らず専用回路または汎用プロセッサで実現しても良い。また、半導体技術の進歩によりＬＳＩに代替する集積回路化の技術が出現した場合、当該技術による集積回路を用いることも可能である。
【０１９５】
以上、この発明の実施形態について図面を参照して詳述してきたが、具体的な構成はこの実施形態に限られるものではなく、この発明の要旨を逸脱しない範囲の設計等も特許請求の範囲に含まれる。
【産業上の利用可能性】
【０１９６】
本発明の一態様は、効率的なデータ送受信制御が必要な無線通信システム、基地局装置、端末装置、無線通信方法および集積回路などに適用することができる。
【符号の説明】
【０１９７】
１−１〜１−３  移動局装置
３−１、３−２  基地局装置
１０１、２０１  データ生成部
１０３、２０３  送信データ記憶部
１０５、２０５  送信ＨＡＲＱ処理部
１０７、２０７  送信処理部
１０９、２０９  無線部
１１１、２１１  受信処理部
１１３、２１３  受信ＨＡＲＱ処理部
１１５、２１５  ＭＡＣ情報抽出部
１１７、２１７  ＰＨＹ制御部
１１９、２１９  ＭＡＣ制御部
１２１、２２１  データ処理部
１２３、２２３  ＲＲＣ制御部
２２５          基地局装置間通信部
２２７          ＭＭＥ通信部
２２９          ＧＷ通信部
【図１】
2014163082.tif 000003
【図２】
2014163082.tif 000004
【図３】
2014163082.tif 000005
【図４】
2014163082.tif 000006
【図５】
2014163082.tif 000007
【図６】
2014163082.tif 000008
【図７】
2014163082.tif 000009
【図８】
2014163082.tif 000010
【図９】
2014163082.tif 000011
【図１０】
2014163082.tif 000012
【図１１】
2014163082.tif 000013
【図１２】
2014163082.tif 000014
【図１３】
2014163082.tif 000015
【図１４】
2014163082.tif 000016
【国際調査報告】
2014163082.tif 000017
2014163082.tif 000018
2014163082.tif 000019